【誤訳訂正書】
【提出日】平成29年3月15日(2017.3.15)
【誤訳訂正１】
【訂正対象書類名】明細書
【訂正対象項目名】全文
【訂正方法】変更
【訂正の内容】
【発明の詳細な説明】
【発明の名称】多元接続ＷＬＡＮ通信システムのための後方互換性プリアンブルフォーマットを使用する装置および方法
【技術分野】
【０００１】
[0001]本願は、一般にワイヤレス通信に関し、より詳細には、後方互換性のある多元接続ワイヤレス通信を可能にするためのシステム、方法、およびデバイスに関する。本明細書では、いくつかの態様は、特にワイヤレス通信規格のＩＥＥＥ８０２．１１ファミリーにおける、直交周波数分割多元接続（ＯＦＤＭＡ）通信に関する。
【背景技術】
【０００２】
[0002]多くの電気通信システムでは、通信ネットワークが、いくつかの相互作用する空間的に離間したデバイス間でメッセージを交換するために使用される。ネットワークは、たとえばメトロポリタンエリア、ローカルエリア、またはパーソナルエリアであり得る地理的範囲に従って分類され得る。そのようなネットワークは、それぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）として指定され得る。ネットワークはまた、様々なネットワークノードとデバイスとを相互接続するために使用されるスイッチング／ルーティング技法（たとえば、回線交換対パケット交換）、送信のために採用される物理媒体のタイプ（たとえば、有線対ワイヤレス）、および使用される通信プロトコルのセット（たとえば、インターネットプロトコルスイート、ＳＯＮＥＴ（同期光ネットワーキング）、イーサネット（登録商標）など）によって異なる。
【０００３】
[0003]ワイヤレスネットワークは、ネットワーク要素がモバイルであり、したがって、動的接続性の必要を有するときに、またはネットワークアーキテクチャが固定ではなくアドホックなトポロジーで形成される場合に、しばしば好適である。ワイヤレスネットワークは、無線、マイクロ波、赤外線、光などの周波数帯域中の電磁波を使用する非誘導伝搬モードでは、無形物理媒体を利用する。ワイヤレスネットワークは、有利には、固定有線ネットワークと比較すると、ユーザモビリティと迅速なフィールド展開とを容易にする。
【発明の概要】
【０００４】
[0004]本発明のシステム、方法、およびデバイスは各々、いくつかの態様を有し、それらのうちのいずれの単一の態様も単独で本発明の望ましい属性を担うものではない。ここで、後記の特許請求の範囲によって表される本発明の範囲を限定することなく、いくつかの特徴について簡単に説明する。この議論を考察すれば、特に「詳細な説明」と題するセクションを読めば、当業者は本発明の特徴が、ワイヤレス媒体の効率的な使用を含む利点をどのように提供するかが理解されよう。
【０００５】
[0005]本開示の一態様は、２以上のワイヤレス通信デバイスに送信する方法を提供する。該方法は、第１のフォーマットに従ってプリアンブルの第１のセクションを送信することであって、プリアンブルの第１のセクションは、送信に譲歩する（defer to the transmission）ように、第１のフォーマットと互換性があるデバイスに知らせる情報を含む、送信することと、第２のフォーマットに従ってプリアンブルの第２のセクションを送信することであって、プリアンブルの第２のセクションはトーン割振り情報を含み、トーン割振り情報は２以上のワイヤレス通信デバイスを識別する、送信することと、データを２以上のワイヤレス通信デバイスに同時に送信することであって、データは２以上のサブバンド上に含まれる、送信することと、を含む。
【０００６】
[0006]プリアンブルの第１のセクションは、プリアンブルの第２のセクションの存在を示す、Ｑレール上の１ビットコードを含み得る。プリアンブルの第２のセクションは、第２のフォーマットを使用する信号フィールドを含み得、信号フィールドは、少なくとも３つの直交周波数分割多重化シンボルから構成され、ここにおいて、３つのシンボルのうちの第３のシンボルは、プリアンブルの第２のセクションの存在を示す回転された信号（rotated signal）である。プリアンブルの第２のセクションを送信することは、第２のフォーマットに従って１つまたは複数のトレーニングフィールドを２つ以上のワイヤレス通信デバイスの各々に送信することを含み得、１つまたは複数のトレーニングフィールドは各々、精確な周波数オフセット推定、時間同期、およびチャネル推定のために使用されるように構成される。該方法は、１つまたは複数の空間ストリームを２以上のワイヤレス通信デバイスの各々に割り当てることをさらに含み得、ここにおいて、１つまたは複数のトレーニングフィールドを送信することは、第２のフォーマットに従って１つのトレーニングフィールドを２以上のワイヤレス通信デバイスの各々に送信することを含み、トレーニングフィールドの数は、それぞれのワイヤレス通信デバイスに割り当てられた空間ストリームの数に基づく。該方法は、さらに、１つまたは複数の空間ストリームを２以上のワイヤレス通信デバイスの各々に割り当てることを含み得、ここにおいて、１つまたは複数のトレーニングフィールドを送信することは、いくつかのトレーニングフィールドを２以上のワイヤレス通信デバイスの各々に送信することを備え、トレーニングフィールドの数は、最多数の空間ストリームが割り当てられたワイヤレス通信デバイスに割り当てられた空間ストリームの数に基づく。プリアンブルの第２のセクションは、送信のトーン割振り粒度をデバイスに知らせるために十分な情報を含み得る。送信のトーン割振り粒度をデバイスに知らせるために十分な情報は、第２のフォーマットと互換性があるデバイスが送信のトーン割振り粒度をそこから決定することができる、送信の帯域幅を備え得る。送信のトーン割振り粒度をデバイスに知らせるために十分な情報は、送信のトーン割振り粒度を示す、信号フィールド内の少なくとも１つのビットのコードを備え得る。トーン割振り粒度は、いくつかのサブバンドの各々の帯域幅サイズのインジケーションを備え得る。プリアンブルの第２のセクションは、識別された２以上のワイヤレス通信デバイスの各々に割り当てられたサブバンドの数のインジケーションをさらに含み得る。プリアンブルの第２のセクションは、第２のフォーマットによる信号フィールドを含み得、ここにおいて、信号フィールドの第１のシンボルは、複数のチャネルの各々において重複して（in duplicate）送信され、全帯域幅を識別する情報を含み、ここにおいて、信号フィールドの後続のシンボルはその全帯域幅を使用して送信される。
【０００７】
[0007]本開示の一態様は、ワイヤレス通信のための装置を提供する。該装置は、第１のフォーマットに従ってプリアンブルの第１のセクションを送信することであって、プリアンブルの第１のセクションは、送信に譲歩するように、第１のフォーマットと互換性があるデバイスに知らせる情報を含む、送信することと、第２のフォーマットに従ってプリアンブルの第２のセクションを送信することであって、プリアンブルの第２のセクションはトーン割振り情報を含み、トーン割振り情報は２以上のワイヤレス通信デバイスを識別する、送信することと、データを２以上のワイヤレス通信デバイスに同時に送信することであって、データは２以上のサブバンド上に含まれる、送信することと、を行うように構成された、帯域幅を介して送信するように構成された送信機を含む。プリアンブルの第１のセクションは、第２のフォーマットと互換性があるデバイスにプリアンブルの第２のセクションの存在を示す、Ｑレール上の１ビットコードを含み得る。プリアンブルの第２のセクションは、第２のフォーマットを使用する信号フィールドを含み得、信号フィールドは、少なくとも３つの直交周波数分割多重化シンボルを備え、ここにおいて、３つのシンボルのうちの第３のシンボルは、第２のフォーマット信号フィールドの存在を示す回転された信号である。該送信機は、プリアンブルの第２のセクションを送信するように構成され得、送信することは、第２のフォーマットに従って１つまたは複数のトレーニングフィールドを２以上のワイヤレス通信デバイスの各々に送信することを備え、１つまたは複数のトレーニングフィールドは、各々、精確な周波数オフセット推定、時間同期、およびチャネル推定のために使用されるように構成される。該送信機は、１つまたは複数の空間ストリーム上で２以上のワイヤレス通信デバイスの各々に送信するようにさらに構成され得、ここにおいて、第２のフォーマットに従って１つまたは複数のトレーニングフィールドを送信することは、第２のフォーマットに従ってトレーニングフィールドを２以上のワイヤレス通信デバイスの各々に送信することを備え、トレーニングフィールドの数は、それぞれのワイヤレス通信デバイスに割り当てられた空間ストリームの数に基づく。該送信機は、１つまたは複数の空間ストリーム上で２以上のワイヤレス通信デバイスの各々に送信するようにさらに構成され得、ここにおいて、第２のフォーマットに従って１つまたは複数のトレーニングフィールドを送信することは、いくつかのトレーニングフィールドを２以上のワイヤレス通信デバイスの各々に送信することを備え、トレーニングフィールドの数は、最大数の空間ストリームが割り当てられたワイヤレス通信デバイスに割り当てられた空間ストリームの数に基づく。プリアンブルの第２のセクションは、送信のトーン割振り粒度をデバイスに知らせるために十分な情報を含み得る。プリアンブルの第２のセクションは、第２のフォーマット信号フィールドを含み得、ここにおいて、第２のフォーマット信号フィールドの第１のシンボルは、複数のチャネルの各々において重複して送信され、全帯域幅を識別する情報を含み、第２のフォーマット信号フィールドの後続のシンボルは、その全帯域幅を使用して送信される。
【図面の簡単な説明】
【０００８】
【図１】[0008]ＩＥＥＥ８０２．１１システムのために利用可能なチャネルに関するチャネル割振りを示す図。
【図２】[0009]ＩＥＥＥ８０２．１１ａ／ｂ／ｇ／ｊ／ｐ通信において使用され得る物理層パケット（ＰＰＤＵフレーム）の構造を示す図。
【図３】[0010]ＩＥＥＥ８０２．１１ｎ通信において使用され得る物理層パケット（ＰＰＤＵフレーム）の構造を示す図。
【図４】[0011]ＩＥＥＥ８０２．１１ａｃ通信において使用され得る物理層パケット（ＰＰＤＵフレーム）の構造を示す図。
【図５】[0012]後方互換性多元接続ワイヤレス通信を可能にするために使用され得るダウンリンク物理層パケットの例示的な構造を示す図。
【図６】[0013]ＳＴＡを識別して、それらのＳＴＡにサブバンドを割り振るために使用され得る、信号の例示的な図。
【図７】[0014]後方互換性多元接続ワイヤレス通信を可能にするために使用され得るダウンリンク物理層パケットの第２の例示的な構造を示す図。
【図８】[0015]後方互換性多元接続ワイヤレス通信を可能にするために使用され得るダウンリンク物理層パケットの第３の例示的な構造を示す図。
【図９】[0016]後方互換性多元接続ワイヤレス通信を可能にするために使用され得るダウンリンク物理層パケットの第４の例示的な構造を示す図。
【図１０】[0017]本開示の態様が採用され得るワイヤレス通信システムの一例を示す図。
【図１１】[0018]図１のワイヤレス通信システム内で採用され得る例示的なワイヤレスデバイスの機能ブロック図。
【図１２】[0019]後方互換性多元接続ワイヤレス通信を可能にするために使用され得るアップリンク物理層パケットの例示的な構造を示す図。
【図１３】[0020]２以上のワイヤレス通信デバイスに高効率パケットを送信する例示的な方法に関するプロセスフロー図。
【図１４】[0021]後方互換性多元接続ワイヤレス通信を可能にするために使用され得るハイブリッドダウンリンク物理層パケットの例示的な構造を示す図。
【図１５】[0022]ハイブリッドパケットを送信する例示的な方法を示す図。
【図１６】[0023]ハイブリッドパケットを受信する例示的な方法を示す図。
【図１７】[0024]１つの例示的なＨＥプリアンブルフォーマットを有するパケットを示す図。
【図１８】[0025]別の例示的なＨＥプリアンブルフォーマットを有するパケットを示す図。
【図１９】[0026]別の例示的なＨＥプリアンブルフォーマットを有するパケットを示す図。
【図２０】[0027]ＨＥ−ＳＩＧ１フィールドに関する例示的なビット割振りを示す図。
【図２１】[0028]後方互換性多元接続ワイヤレス通信を可能にするために使用され得るアップリンク物理層パケットの例示的な構造を示す図。
【図２２】[0029]後方互換性多元接続ワイヤレス通信を可能にするために使用され得るアップリンク物理層パケットの別の例示的な構造を示す図。
【図２３】[0030]パケットを受信する例示的な方法を示す図。
【図２４】[0031]アップリンクＨＥパケットのための例示的なアップリンクパケット構造を示す図。
【図２５】[0032]アップリンクＨＥパケットのための例示的なアップリンクパケット構造を示す図。
【図２６】[0033]各送信デバイスがいくつの空間ストリームを使用し得るかに関する情報を含む、ＡＰからの例示的なダウンリンクメッセージを示す図。
【図２７】[0034]ＵＬ  ＯＦＤＭＡパケット内で使用され得るトーンインターリーブＬＴＦを示す図。
【図２８】[0035]ＵＬ  ＯＦＤＭＡパケット内で使用され得るサブバンドインターリーブＬＴＦを示す図。
【図２９】[0036]ＵＬ  ＯＦＤＭＡパケットにおいて送信され得るパケットの例示的なＬＴＦ部分を示す図。
【図３０】[0037]ＨＥ−ＳＴＦに先立つ共通ＳＩＧフィールド、およびすべてのＨＥ−ＬＴＦの後のユーザごとのＳＩＧフィールドを有するパケットを示す図。
【図３１】[0038]単一の送信で１または複数のデバイスに送信する例示的な方法を示す図。
【図３２】[0039]第１の能力セットを有する１または複数の第１のデバイスに送信し、第２の能力セットを有する１または複数の第２のデバイスに同時に送信する、例示的な方法を示す図。
【図３３】[0040]第１の能力セットを有するデバイスと第２の能力セットを有するデバイスの両方と互換性がある送信を受信する例示的な方法を示す図。
【図３４】[0041]送信の複数の部分が異なるワイヤレスデバイスによって送信される、送信を受信する例示的な方法を示す図。
【図３５】[0042]ワイヤレス通信システム内で採用され得るワイヤレスデバイスにおいて利用され得る様々な構成要素を示す図。
【詳細な説明】
【０００９】
[0043]以下、新規のシステム、装置、および方法の様々な態様について、添付の図面を参照してより完全に説明する。ただし、開示される教示は、多くの異なる形態で実施され得るものであり、本開示全体を通して提示する任意の特定の構造または機能に限定されるものと解釈すべきではない。むしろ、これらの態様は、本開示が十分なものであり、完全であるように、また本開示の範囲を当業者に十分伝えるように提供される。本明細書での教示に基づいて、当業者は、本発明の任意の他の態様から独立して実装されるか、または、本発明の任意の他の態様と組み合わされて実装されるかにかかわらず、本開示の範囲が、本明細書で開示する新規のシステム、装置、および方法の任意の態様を包含することを意図することを諒解するべきである。たとえば、本明細書で述べられる任意の数の態様を使用して装置が実装されることができ、または方法が実施されることができる。加えて、本発明の範囲は、本明細書で述べられる本発明の様々な態様に加えて、またはそれ以外の、他の構造、機能、または構造および機能を使用して実施されるそのような装置または方法を包含することを意図する。本明細書で開示する任意の態様は、特許請求の範囲の１つまたは複数の要素により実施されてもよいことを理解されたい。
【００１０】
[0044]本明細書では特定の態様について説明するが、これらの態様の多くの変形および置換が、本開示の範囲内に属する。好ましい態様のいくつかの利益および利点について述べるが、本開示の範囲は、特定の利点、使用、または目的に限定されることを意図したものではない。むしろ、本開示の態様は、異なるワイヤレス技術、システム構成、ネットワーク、および伝送プロトコルに、広範囲に適用できることが意図され、これらのうちのいくつかは、図面および好ましい態様の以下の説明で、例として示される。詳細な説明および図面は、限定ではなく、本開示の単なる例示であり、本開示の範囲は、添付の特許請求の範囲およびその均等物によって定義される。
【００１１】
[0045]ワイヤレスネットワーク技術は、様々なタイプのワイヤレスローカルエリアネットワーク（ＷＬＡＮ）を含み得る。ＷＬＡＮは、広く使用されているネットワーキングプロトコルを採用する、隣接デバイスをともに相互接続するために使用され得る。本明細書で説明する様々な態様は、ＷｉＦｉ（登録商標）、またはより一般的には、ワイヤレスプロトコルのＩＥＥＥ８０２．１１ファミリーの任意のメンバーなど、任意の通信規格に適用し得る。たとえば、本明細書で説明する様々な態様は、直交周波数分割多元接続（ＯＦＤＭＡ）通信をサポートする８０２．１１プロトコルなど、ＩＥＥＥ８０２．１１プロトコルの一部として使用され得る。
【００１２】
[0046]ＳＴＡなど、複数のデバイスが同時にＡＰと通信することを可能にすることは有益であり得る。たとえば、これは、複数のＳＴＡがより短い時間にＡＰから応答を受信して、より短い遅延でＡＰからデータを送受信することができるようにすることを可能にし得る。これはまた、ＡＰが全体的により多くの数のデバイスと通信することを可能にし得、帯域幅使用をより効率的にすることも可能である。多元接続通信を使用することによって、ＡＰは、たとえば、８０ＭＨｚ帯域幅を介して一度に４つのデバイスに対してＯＦＤＭシンボルを多重化することが可能であり得、この場合、各デバイスは２０ＭＨｚ帯域幅を利用する。したがって、多元接続は、ＡＰがそのＡＰに利用可能なスペクトルをより効率的に使用することを可能にし得るため、多元接続は、いくつかの多様では、有益であり得る。
【００１３】
[0047]ＡＰとＳＴＡとの間で送信されるシンボルの異なるサブキャリア（または、トーン）を異なるＳＴＡに割り当てることによって、８０２．１１ファミリーなど、ＯＦＤＭシステム内でそのような多元接続プロトコルを実装することが提案されている。このようにして、ＡＰは、単一の送信ＯＦＤＭシンボルを用いて複数のＳＴＡと通信することが可能であり、この場合、シンボルの異なるトーンは異なるＳＴＡによって符号化および処理され、したがって、複数のＳＴＡに対する同時データ転送を可能にする。これらのシステムは、ＯＦＤＭＡシステムと呼ばれる場合がある。
【００１４】
[0048]そのようなトーン割振り方式は、本明細書では「高効率」（ＨＥ）システムと呼ばれ、そのようなマルチプルトーン割振りシステム内で送信されるデータパケットは高効率（ＨＥ）パケットと呼ばれる場合がある。後方互換性プリアンブルフィールドを含むそのようなパケットの様々な構造が以下で詳細に説明される。
【００１５】
[0049]以下、新規のシステム、装置、および方法の様々な態様について、添付の図面を参照してより完全に説明する。しかしながら、本開示は、多くの異なる形態で実施され得るものであり、本開示の全体を通して示される任意の特定の構造または機能に限定されるものと解釈されるべきでない。むしろ、これらの態様は、本開示が十分なものであり、完全であるように、また本開示の範囲を当業者に十分伝えるように提供される。本明細書での教示に基づいて、当業者は、本発明の任意の他の態様から独立して実装されるか、または、本発明の任意の他の態様と組み合わされて実装されるかにかかわらず、本開示の範囲が、本明細書で開示する新規のシステム、装置、および方法の任意の態様を包含することを意図することを諒解するべきである。たとえば、本明細書で述べられる任意の数の態様を使用して装置が実装されることができ、または方法が実施されることができる。加えて、本発明の範囲は、本明細書で述べられる本発明の様々な態様に加えて、またはそれ以外の、他の構造、機能、または構造および機能を使用して実施されるそのような装置または方法を包含することを意図する。本明細書で開示する任意の態様は、特許請求の範囲の１つまたは複数の要素により実施されてもよいことを理解されたい。
【００１６】
[0050]本明細書では特定の態様について説明するが、これらの態様の多くの変形および置換が、本開示の範囲内に属する。好ましい態様のいくつかの利益および利点について述べるが、本開示の範囲は、特定の利点、使用、または目的に限定されることを意図したものではない。むしろ、本開示の態様は、異なるワイヤレス技術、システム構成、ネットワーク、および伝送プロトコルに、広範囲に適用できることが意図され、これらのうちのいくつかは、図面および好ましい態様の以下の説明で、例として示される。詳細な説明および図面は、限定的ではなく、本開示の単なる例示であり、本開示の範囲は、添付の特許請求の範囲およびその均等物によって定義される。
【００１７】
[0051]普及しているワイヤレスネットワーク技術は、様々なタイプのワイヤレスローカルエリアネットワーク（ＷＬＡＮ）を含み得る。ＷＬＡＮは、広く使用されているネットワーキングプロトコルを採用する、隣接デバイスをともに相互接続するために使用され得る。本明細書で説明する様々な態様は、ワイヤレスプロトコルなどの任意の通信規格に適用され得る。
【００１８】
[0052]いくつかの態様では、ワイヤレス信号は８０２．１１プロトコルに従って送信され得る。いくつかの実施態様では、ＷＬＡＮは、このワイヤレスネットワークにアクセスする構成要素である様々なデバイスを含む。たとえば、２つのタイプのデバイス、すなわち、アクセスポイント（ＡＰ）およびクライアント（局またはＳＴＡとも呼ばれる）が存在し得る。一般に、ＡＰはＷＬＡＮのためのハブまたは基地局として機能することができ、ＳＴＡはＷＬＡＮのユーザとして機能する。たとえば、ＳＴＡはラップトップコンピュータ、携帯情報端末（ＰＤＡ）、携帯電話などであり得る。一例では、ＳＴＡは、インターネットまたは他のワイドエリアネットワークへの一般的接続性を得るためにＷｉＦｉ互換ワイヤレスリンクを介してＡＰに接続する。いくつかの実装態様では、ＳＴＡは、ＡＰとしても使用され得る。
【００１９】
[0053]アクセスポイント（ＡＰ）はまた、基地局、ワイヤレスアクセスポイント、アクセスノード、または類似の用語を備える、それらとして実装される、またはそれらの用語で呼ばれることもある。
【００２０】
[0054]局「ＳＴＡ」は、アクセス端末（ＡＴ）、加入者局、加入者ユニット、移動局、遠隔局、遠隔端末、ユーザ端末、ユーザエージェント、ユーザデバイス、ユーザ機器、または他の用語を備える、それらとして実装される、またはそれらの用語で呼ばれることもある。したがって、本明細書で教示する１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、携帯情報端末）、エンターテインメントデバイス（たとえば、音楽デバイスもしくはビデオデバイス、または衛星ラジオ）、ゲームデバイスもしくはゲームシステム、全地球測位システムデバイス、または、ワイヤレス媒体を介したネットワーク通信用に構成された任意の他の適切なデバイスに組み込まれる場合がある。
【００２１】
[0055]上で論じたように、本明細書で説明するデバイスのいくつかは、たとえば、８０２．１１規格を実装し得る。そのようなデバイスは、ＳＴＡとして使用されるか、またはＡＰとして使用されるか、または他のデバイスとして使用されるかにかかわらず、スマート検針用に、またはスマートグリッドネットワークにおいて使用され得る。そのようなデバイスは、センサアプリケーションを提供するか、またはホームオートメーションにおいて使用され得る。デバイスは、代わりにまたは加えて、たとえば個人の健康管理のために、健康管理の状況において使用され得る。それらはまた、（たとえばホットスポットとともに使用するための）広範囲のインターネット接続を可能にするために、または機械間通信を実装するために、監視に使用され得る。
【００２２】
[0056]図１は、ＩＥＥＥ８０２．１１システムに利用可能なチャネルに関するチャネル割振りを示す。様々なＩＥＥＥ８０２．１１システムは、５ＭＨｚチャネル、１０ＭＨｚチャネル、２０ＭＨｚチャネル、４０ＭＨｚチャネル、８０ＭＨｚチャネル、および１６０ＭＨｚチャネルなど、いくつかの異なるサイズのチャネルをサポートする。たとえば、８０２．１１ａｃデバイスは、２０ＭＨｚチャネル、４０ＭＨｚチャネル、および８０ＭＨｚチャネルの帯域幅の受信および送信をサポートし得る。より大きなチャネルが、２つの隣接する、より小さなチャネルを備え得る。たとえば、８０ＭＨｚチャネルは２つの隣接する４０ＭＨｚチャネルを備え得る。現在実施されているＩＥＥＥ８０２．１１システムでは、２０ＭＨｚチャネルは、３１２．５ｋＨｚだけ互いに隔てられた、６４のサブキャリアを含む。これらのサブキャリアの中で、より小さな数のサブキャリアはデータを搬送するために使用され得る。たとえば、２０ＭＨｚチャネルは、−１サブキャリアから−２８サブキャリアおよび１サブキャリアから２８サブキャリア、または５６サブキャリアと番号付けされた送信サブキャリアを含み得る。これらのキャリアのうちのいくつかは、また、パイロット信号を送信するために使用されることも可能である。長年にわたって、ＩＥＥＥ８０２．１１規格はいくつかのバージョンを通して発展してきた。より古いバージョンは１１ａ／ｇバージョンおよび１１ｎバージョンを含む。最も最近のリリースは８０２．１１ａｃバージョンである。
【００２３】
[0057]図２、図３、および図４は、いくつかの現存のＩＥＥＥ８０２．１１規格のためのデータパケットフォーマットを示す。まず図２を参照すると、ＩＥＥＥ８０２．１１ａ、１１ｂ、および１１ｇ用のパケットフォーマットを示す。このフレームは、ショートトレーニングフィールド２２と、ロングトレーニングフィールド２４と、信号フィールド２６とを含む。トレーニングフィールドはデータを送信しないが、トレーニングフィールドは、データフィールド２８内のデータを復号するためにＡＰと受信ＳＴＡとの間の同期を可能にする。
【００２４】
[0058]信号フィールド２６は、届けられているパケットの性質に関する情報をＡＰからＳＴＡに届ける。ＩＥＥＥ８０２．１１ａ／ｂ／ｇデバイスでは、この信号フィールドは、２４ビットの長さを有し、ＢＰＳＫ変調および１／２のコードレートを使用して、６Ｍｂ／ｓのレートで単一のＯＦＤＭシンボルとして送信される。ＳＩＧフィールド２６内の情報は、パケット内のデータの変調方式（たとえば、ＢＰＳＫ、１６ＱＡＭ、６４ＱＡＭなど）を記述する４ビットと、パケット長に関する１２ビットとを含む。この情報は、パケットがＳＴＡを対象とするとき、そのパケット内のデータを復号するためにＳＴＡによって使用される。パケットが特定のＳＴＡを対象としないときには、ＳＴＡは、ＳＩＧシンボル２６の長さフィールド内で定義された時間期間の間、いずれの通信試行も延期することになり、電力を節約するために、最大約５．５ミリ秒のパケット期間の間、スリープモードに入ることができる。
【００２５】
[0059]ＩＥＥＥ８０２．１１に特徴が追加されるにつれて、追加の情報をＳＴＡに提供するために、データパケット内のＳＩＧフィールドのフォーマットに対する変更が開発された。図３は、ＩＥＥＥ８０２．１１ｎパケットに関するパケット構造を示す。ＩＥＥＥ８０２．１１規格に対する１１ｎの追加は、ＩＥＥＥ８０２．１１互換性デバイスにＭＩＭＯ機能を追加した。ＩＥＥＥ８０２．１１ａ／ｂ／ｇデバイスとＩＥＥＥ８０２．１１ｎデバイスの両方を含むシステムに後方互換性を提供するために、ＩＥＥＥ８０２．１１ｎシステム用のデータパケットは、また、それらが「レガシー」フィールドであることを示すためにプレフィックスＬを伴う、Ｌ−ＳＴＦ２２、Ｌ−ＬＴＦ２４、およびＬ−ＳＩＧ２６として知られる、より前のこれらのシステムのＳＴＦフィールド、ＬＴＦフィールド、およびＳＩＧフィールドを含む。ＩＥＥＥ８０２．１１ｎ環境で必要な情報をＳＴＡに提供するために、２つの追加の信号シンボル１４０および１４２がＩＥＥＥ８０２．１１ｎデータパケットに追加された。しかしながら、ＳＩＧフィールドおよびＬ−ＳＩＧフィールド２６と対照的に、これらの信号フィールドは（ＱＢＰＳＫ変調とも呼ばれる）回転ＢＰＳＫ変調を使用した。ＩＥＥＥ８０２．１１ａ／ｂ／ｇと動作するように構成されたレガシーデバイスがそのようなパケットを受信するとき、そのレガシーデバイスは、通常の１１ａ／ｂ／ｇパケットとして、Ｌ−ＳＩＧフィールド２６を受信および復号することになる。しかしながら、Ｌ−ＳＩＧフィールド２６の後のデータパケットのフォーマットは１１ａ／ｂ／ｇパケットのフォーマットとは異なるので、デバイスが追加のビットを復号し続けると、それらのビットは成功裏に復号されないことになり、このプロセスの間にそのデバイスによって実行されるＣＲＣ検査は失敗することになる。これは、これらのレガシーデバイスにそのパケットの処理を停止させるが、さらに、当初復号されたＬ−ＳＩＧ内の長さフィールドによって定義された時間期間が経過するまでさらなる動作を延期させる。対照的に、ＩＥＥＥ８０２．１１ｎと互換性がある新しいデバイスは、ＨＴ−ＳＩＧフィールド内の回転変調を感知して、そのパケットを８０２．１１ｎパケットとして処理することになる。さらに、１１ｎデバイスがＬ−ＳＩＧ２６に続くシンボル内のＱＢＰＳＫ以外のいずれかの変調を感知する場合、１１ｎデバイスはそれを１１ａ／ｂ／ｇパケットとして無視するので、１１ｎデバイスは、パケットが１１ａ／ｂ／ｇデバイスを対象とすることを見分けることができる。ＨＴ−ＳＩＧ１シンボルおよびＳＩＧ２シンボルの後、ＭＩＭＯ通信に適した追加のトレーニングフィールドが提供され、その後にデータ２８が続く。
【００２６】
[0060]図４は、ＩＥＥＥ８０２．１１ファミリーにマルチユーザＭＩＭＯ機能を追加した、現存のＩＥＥＥ８０２．１１ａｃ規格用のフレームフォーマットを示す。ＩＥＥＥ８０２．１１ｎと同様に、８０２．１１ａｃフレームは、同じレガシーショートトレーニングフィールド（Ｌ−ＳＴＦ）２２とロングトレーニングフィールド（Ｌ−ＬＴＦ）２４とを含む。８０２．１１ａｃフレームはまた、上で説明したレガシー信号フィールドＬ−ＳＩＧ２６を含む。
【００２７】
[0061]次に、８０２．１１ａｃフレームは、超高スループット信号（ＶＨＴ−ＳＩＧ−Ａ１  １５０およびＡ２  １５２）フィールドの２つのシンボル長を含む。この信号フィールドは、１１ａ／ｂ／ｇデバイスおよび１１ｎデバイス内に存在しない１１ａｃ特徴に関する追加の構成情報を提供する。ＶＨＴ−ＳＩＧ−Ａの第１のＯＦＤＭシンボル１５０はＢＰＳＫを使用して変調され得、その結果、パケットをリッスンしている任意の８０２．１１ｎデバイスは、そのパケットが８０２．１１ａパケットであると確信することになり、Ｌ−ＳＩＧ１２６の長さフィールド内で定義されたパケット長の持続時間の間、パケットに譲歩（defer to the packet）することになる。１１ａ／ｇに従って構成されたデバイスは、Ｌ−ＳＩＧ２６フィールドに続くサービスフィールドおよびＭＡＣヘッダを予想することになる。これらのデバイスがこの復号を試みるときには、１１ｎパケットが１１ａ／ｂ／ｇデバイスによって受信されたときの手順と同様の形でＣＲＣ失敗（CRC failure）が発生することになり、１１ａ／ｂ／ｇデバイスはまたＬ−ＳＩＧフィールド２６内で定義された期間の間延期することになる。ＶＨＴ−ＳＩＧ−Ａの第２のシンボル１５２は９０度回転ＢＰＳＫで変調される。この回転した第２のシンボルは、８０２１１ａｃデバイスがそのパケットを８０２．１１ａｃパケットとして識別するのを可能にする。ＶＨＴ−ＳＩＧＡ１  １５０フィールドおよびＡ２  １５２フィールドは、帯域幅モードに関する情報、単一ユーザの場合の変調およびコーディング方式（ＭＣＳ）に関する情報、空間時間ストリームの数（ＮＳＴＳ）に関する情報、および他の情報を含む。ＶＨＴ−ＳＩＧＡ１  １５０およびＡ２  １５２はまた、「１」に設定された、いくつかの予約済みビットを含み得る。レガシーフィールドならびにＶＨＴ−ＳＩＧＡ１フィールドおよびＡ２フィールドは、利用可能な帯域幅の各２０ＭＨｚを通じて重複（duplicated）され得る。
【００２８】
[0062]ＶＨＴ−ＳＩＧ−Ａの後、８０２．１１ａｃパケットは、多入力多出力（ＭＩＭＯ）送信における自動利得制御推定を改善するように構成されたＶＨＴ−ＳＴＦを含み得る。８０２．１１ａｃパケットの次の１フィールドから８フィールドはＶＨＴ−ＬＴＦであり得る。これらは、ＭＩＭＯチャネルを推定し、次いで、受信信号を等化するために使用され得る。送られるＶＨＴ−ＬＴＦの数は、ユーザごとの空間ストリームの数以上であり得る。最終的に、データフィールドの前のプリアンブル内の最後のフィールドはＶＨＴ−ＳＩＧ−Ｂ  １５４である。このフィールドはＢＰＳＫ変調され、パケット内の有用なデータの長さに関する情報を提供し、マルチユーザ（ＭＵ）ＭＩＭＯパケットの場合、ＭＣＳを提供する。シングルユーザ（ＳＵ）の場合、このＭＣＳ情報は、代わりに、ＶＨＴ−ＳＩＧＡ２内に含まれる。ＶＨＴ−ＳＩＧ−Ｂに続いて、データシンボルが送信される。８０２．１１ａｃは様々な新しい特徴を８０２．１１ファミリーに導入し、１１ａ／ｇ／ｎデバイスと後方互換性があったプリアンブル設計を備えるデータパケットを含み、また１１ａｃの新しい特徴を実装するのに必要な情報を提供したが、多元接続用のＯＦＤＭＡトーン割振りに関する構成情報は１１ａｃデータパケット設計によって提供されない。ＩＥＥＥ８０２．１１、またはＯＦＤＭサブキャリアを使用する任意の他のワイヤレスネットワークプロトコルの何らかの将来のバージョンにおいてそのような特徴を実装するために、新しいプリアンブル構成が必要である。以下で、特に図３〜図９を参照して、有利なプリアンブル設計を提示する。
【００２９】
[0063]図５は、この環境で後方互換性多元接続ワイヤレス通信を可能にするために使用され得る物理層パケットの例示的な構造を示す。
【００３０】
[0064]この例示的な物理層パケットには、Ｌ−ＳＴＦ２２と、Ｌ−ＬＴＦ２６と、Ｌ−ＳＩＧ２６とを含むレガシープリアンブルが含まれる。これらの各々は２０ＭＨｚを使用して送信され得、ＡＰが使用する各２０ＭＨｚのスペクトルに関して複数の複製（multiple copies）が送信され得る。
【００３１】
[0065]このパケットはまた、ＨＥ−ＳＩＧ１シンボル４５５と、ＨＥ−ＳＩＧ２シンボル４５７と、１つまたは複数のＨＥ−ＳＩＧ３シンボル４５９とを含む。これらのシンボルの構造は、ＩＥＥＥ８０２．１１ａ／ｂ／ｇ／ｎ／ａｃデバイスと後方互換性があるべきであり、また、パケットがＨＥパケットであることをＯＦＤＭＡ  ＨＥデバイスにシグナリングすべきである。ＩＥＥＥ８０２．１１ａ／ｂ／ｇ／ｎ／ａｃデバイスと後方互換性があるためには、これらのシンボルの各々に関して適切な変調が使用され得る。いくつかの実装形態では、第１のシンボルＨＥ−ＳＩＧ１  ４５５はＢＰＳＫ変調で変調され得る。これは、やはりそれらの第１のＳＩＧシンボルＢＰＳＫを変調させた１１ａｃパケットをもつ現在の事例と同じ影響を１１ａ／ｂ／ｇ／ｎデバイスに引き起こす。これらのデバイスの場合、後続のＨＥ−ＳＩＧシンボル４５７、４５９に何の変調が行われるかは問題ではない。第２のシンボル４５７は、ＢＰＳＫ変調またはＱＰＳＫ変調され得る。ＢＰＳＫ変調される場合、１１ａｃデバイスは、そのパケットが１１ａ／ｂ／ｇパケットであるとみなし、そのパケットの処理を停止することになり、Ｌ−ＳＩＧ２６の長さフィールドによって定義された時間の間、延期することになる。ＱＢＰＳＫ変調される場合、１１ａｃデバイスは、プリアンブル処理の間、ＣＲＣエラーを生み出すことになり、そのパケットの処理をやはり停止することになり、Ｌ−ＳＩＧの長さフィールドによって定義された時間の間、延期することになる。これがＨＥパケットであることをＨＥデバイスにシグナリングするために、ＨＥ−ＳＩＧ３  ４５９の少なくとも第１のシンボルがＱＢＰＳＫ変調され得る。
【００３２】
[0066]ＯＦＤＭＡ多元接続通信を確立するために必要な情報は、ＨＥ−ＳＩＧフィールド４５５、４５７、および４５９内の様々な位置に配置され得る。図５の例では、ＨＥ−ＳＩＧ１  ４５５は、ＯＦＤＭＡ動作用のトーン割振り情報を含む。ＨＥ−ＳＩＧ３  ４５９は、多重化された各ユーザに関するユーザ固有変調タイプを定義するビットを含む。加えて、ＨＥ−ＳＩＧ２  ４５７は、図４の１１ａｃフォーマットで提供されるようなユーザ固有ＭＩＭＯ空間ストリームを定義するビットを含む。図５の例は、４人の異なるユーザ各々に、トーンの特定のサブバンドと、特定の数のＭＩＭＯ空間時間ストリームとが割り当てられることを可能にし得る。１２ビットの空間時間ストリーム情報は、１〜８のストリームが各々に割り当てられ得るように、４人のユーザの各々に関して３ビットを可能にする。１６ビットの変調タイプデータは、４人のユーザの各々に関して４ビットを可能にし、４人のユーザの各々に対して１６の異なる変調方式（１６ＱＡＭ、６４ＱＡＭなど）のいずれか１つの割当てを可能にする。１２ビットのトーン割振りデータは、特定のサブバンドが４人のユーザの各々に割り当てられることを可能にする。
【００３３】
[0067]サブバンド割振りに関する１つの例示的なＳＩＧフィールド方式を図６に示す。この例は、ＩＥＥＥ８０２．１１ａｃで現在使用されているものと同様の６ビットのグループＩＤフィールド、ならびにサブバンドトーンを４人のユーザの各々に割り振るための１０ビットの情報を含む。パケット１３０を届けるために使用される帯域幅は、何らかの数のＭＨｚの倍数でＳＴＡに割り振られ得る。たとえば、帯域幅は、Ｂ  ＭＨｚの倍数でＳＴＡに割り振られ得る。Ｂの値は、１ＭＨｚ、２ＭＨｚ、５ＭＨｚ、１０ＭＨｚ、１５ＭＨｚ、または２０ＭＨｚなどの値であり得る。Ｂの値は、図６の２ビット割振り粒度フィールドによって提供され得る。たとえば、ＨＥ−ＳＩＧ１５５は、Ｂの４つの可能値を可能にする、１つの２ビットフィールドを含み得る。たとえば、Ｂの値は、割振り粒度フィールド内の０〜３の値に対応する、５ＭＨｚ、１０ＭＨｚ、１５ＭＨｚ、または２０ＭＨｚであり得る。いくつかの態様では、０からＮの数を定義するＢの値をシグナリングするためにｋビットのフィールドが使用され得、この場合、０は自由度が最も低いオプション（the least flexible option）（最大粒度）を表し、Ｎの高い値は自由度が最も高いオプション（the most flexible option）（最小粒度）を表す。各Ｂ  ＭＨｚ部分はサブバンドと呼ばれ得る。
【００３４】
[0068]ＨＥ−ＳＩＧ１はさらに、各ＳＴＡに割り振られるサブバンドの数を示すために、ユーザあたり２ビットを使用することができる。これは、０〜３のサブバンドが各ユーザに割り振られることを可能にし得る。ＯＦＤＭＡパケット内でデータを受信することになるＳＴＡを識別するために、８０２．１１ａｃからのグループｉｄ（Ｇ＿ＩＤ）概念が使用され得る。この６ビットのＧ＿ＩＤは、この例では、特定の順序で、最高４つのＳＴＡを識別することができる。
【００３５】
[0069]この例では、割振り粒度フィールドは「００」に設定される。この例では、割振り粒度フィールドは２ビットフィールドであり、その値は、順に５ＭＨｚ、１０ＭＨｚ、１５ＭＨｚ、または２０ＭＨｚに対応し得る。たとえば、「００」は５ＭＨｚの割振り粒度に対応し得る。
【００３６】
[0070]この例では、最初の２ビットは、Ｇ＿ＩＤによって識別された第１のユーザ用のサブバンドの数を与える。ここで、ユーザ１には「１１」のサブバンドが与えられる。これは、ユーザ１が３つのサブバンドを受信することに対応し得る。各サブバンドが５ＭＨｚである場合、これはユーザ１に１５ＭＨｚのスペクトルが割り振られることを意味し得る。同様に、ユーザ２はやはり３のサブバンドを受信するのに対して、ユーザ３はゼロのサブバンドを受信し、ユーザ４は２のサブバンドを受信する。したがって、この割振りは、１５ＭＨｚがユーザ１とユーザ２の両方に使用されるのに対して、ユーザ４が１０ＭＨｚを受信し、ユーザ３が何のサブバンドも受信しない、４０ＭＨｚ信号に対応し得る。
【００３７】
[0071]ＨＥ−ＳＩＧシンボルの後に送られるトレーニングフィールドおよびデータは、各ＳＴＡに、割り振られたトーンに従ってＡＰによって届けられる。この情報は、潜在的にビームフォーミングされ得る。この情報をビームフォーミングすることは、より精確な復号を可能にすること、および／またはビームフォーミングされていない送信よりも大きな範囲を提供することなど、いくつかの利点を有し得る。
【００３８】
[0072]各ユーザに割り当てられた空間時間ストリームに応じて、異なるユーザは異なる数のＨＥ−ＬＴＦ１６５を必要とし得る。各ＳＴＡは、一般に、空間ストリームの数に等しいまたはそれより多い、ＳＴＡに関連付けられた各空間ストリームについてのチャネル推定を可能にするＨＥ−ＬＴＦ１６５の数を必要とし得る。ＬＴＦはまた、周波数オフセット推定および時間同期のために使用され得る。異なるＳＴＡが異なる数のＨＥ−ＬＴＦを受信し得るので、あるトーン上にＨＥ−ＬＴＦ情報を含み、他のトーン上にデータを含むシンボルが、ＡＰから送信され得る。
【００３９】
[0073]いくつかの態様では、同じＯＦＤＭシンボル上でＨＥ−ＬＴＦ情報とデータの両方を送ることは、問題がある場合がある。たとえば、これは、ピーク対平均電力比（ＰＡＰＲ）をあまりにも高いレベルに増大させ得る。したがって、代わりに、各ＳＴＡが少なくとも必要とされる数のＨＥ−ＬＴＦ１６５を受信するまで、送信されるシンボルのすべてのトーン上でＨＥ−ＬＴＦ１６５を送信することが有益であり得る。たとえば、各ＳＴＡは、ＳＴＡに関連付けられた空間ストリームあたりに１つのＨＥ−ＬＴＦ１６５を受信する必要があり得る。したがって、ＡＰは、任意のＳＴＡに割り当てられた空間ストリームの最大数に等しい数のＨＥ−ＬＴＦ１６５を各ＳＴＡに送信するように構成され得る。たとえば、３つのＳＴＡに単一の空間ストリームが割り当てられるが、第４番目のＳＴＡには３つの空間ストリームが割り当てられる場合、この態様では、ＡＰは、ペイロードデータを含むシンボルを送信する前に、ＨＥ−ＬＴＦ情報の４つのシンボルを４つのＳＴＡの各々に送信するように構成され得る。
【００４０】
[0074]任意の所与のＳＴＡに割り当てられたトーンが隣接している必要はない。たとえば、いくつかの実装形態では、異なる受信ＳＴＡのサブバンドはインターリーブされ得る。たとえば、ユーザ１およびユーザ２の各々が３つのサブバンドを受信するのに対して、ユーザ４が２のサブバンドを受信する場合、これらのサブバンドはＡＰ帯域幅全体にわたってインターリーブされ得る。たとえば、これらのサブバンドは、１，２，４，１，２，４，１，２などの順でインターリーブされ得る。いくつかの態様では、サブバンドをインターリーブするための他の方法がまた使用され得る。いくつかの態様では、サブバンドをインターリーブすることは、干渉の悪影響または特定のサブバンド上の特定のデバイスからの受信不良の影響を低減し得る。いくつかの態様では、ＡＰは、ＳＴＡが選好するサブバンド上でＳＴＡに送信することができる。たとえば、ある特定のＳＴＡは、いくつかのサブバンド内では、他のサブバンドよりも良好な受信を有し得る。したがって、ＡＰは、ＳＴＡがどのサブバンド上でより良好な受信を有し得るかに少なくとも一部基づいて、ＳＴＡに送信することができる。いくつかの態様では、サブバンドは、また、インターリーブされなくてもよい。たとえば、サブバンドは、代わりに、１，１，１，２，２，２，４，４として送信され得る。いくつかの態様では、サブバンドがインターリーブされるか否かは事前定義され得る。
【００４１】
[0075]図５の例では、パケットがＨＥパケットであることをＨＥデバイスにシグナリングするために、ＨＥ−ＳＩＧ３シンボル変調が使用され得る。パケットがＨＥパケットであることをＨＥデバイスにシグナリングする他の方法が使用されてもよい。図７の例では、Ｌ−ＳＩＧ１２６は、ＨＥプリアンブルがレガシープリアンブルの後に続くことになることをＨＥデバイスに指示する情報を含み得る。たとえば、Ｌ−ＳＩＧ２６は、Ｌ−ＳＩＧ２６の期間中にＱ信号に敏感なＨＥデバイスに後続のＨＥプリアンブルの存在を示す低エネルギーの１ビットコードをＱレール上に含み得る。単一ビット信号がパケットを送信するためにＡＰによって使用されるすべてのトーンにわたって拡散され得るので、振幅が非常に低いＱ信号が使用され得る。このコードは、ＨＥプリアンブル／パケットの存在を検出するために高効率デバイスによって使用され得る。レガシーデバイスのＬ−ＳＩＧ２６検出感度は、Ｑレール上のこの低エネルギーコードによって実質的に影響を受けるとは限らない。したがって、これらのデバイスは、Ｌ−ＳＩＧ２６を読み取ることが可能になり、コードの存在に気づかないことになるのに対して、ＨＥデバイスはコードの存在を検出することが可能である。この実装形態では、所望される場合、すべてのＨＥ−ＳＩＧフィールドがＢＰＳＫ変調され得、このＬ−ＳＩＧシグナリングとともに、レガシー互換性に関して本明細書で説明する技法のいずれかが使用され得る。
【００４２】
[0076]図８は、同様に１１ａｃデバイスとの後方互換性を実装するための別の方法を示す。この例では、ＨＥ−ＳＩＧ−Ａ１  ４５５は、ＶＨＴ−ＳＩＧフィールドを復号するときに１１ａｃデバイスが必要とする値から反転された（flipped）値に設定されたビットを含み得る。たとえば、８０２．１１ａｃ  ＶＨＴ−ＳＩＧ−Ａフィールドは、正確にアセンブルされたＶＨＴ−ＳＩＧ−Ａフィールドにおいて予約されて１に設定されたビット２および２３を含む。高効率プリアンブルＨＥ−ＳＩＧ−Ａ４５５では、これらのビットのうちの１つまたは両方はゼロに設定され得る。８０２．１１ａｃデバイスがそのような反転された値（flipped value）を有する予約済みビットを含むパケットを受信する場合、１１ａｃデバイスは、そのパケットの処理を停止して、Ｌ−ＳＩＧ２６内で指定された持続時間の間パケットに依然として譲歩しながら、そのパケットを復号不可能として扱う。この実装形態では、１１ａ／ｂ／ｇ／ｎデバイスとの後方互換性は、ＨＥ−ＳＩＧ１シンボル４５５に関してＢＰＳＫ変調を使用することによって達成され得、ＨＥデバイスにシグナリングすることは、ＨＥ−ＳＩＧ２  ４５７またはＨＥ−ＳＩＧ３  ４５９の１つまたは複数のシンボルに関してＱＢＰＳＫ変調を使用することによって達成され得る。
【００４３】
[0077]図９に示した例によって示されるように、ＨＥパケットの構造は、８０２．１１ａｃで利用されるパケット構造に基づくことができる。この例では、レガシープリアンブル２２、２４、２６の後、図９でＨＥ−ＳＩＧＡ１およびＨＥ−ＳＩＧＡ２と呼ばれる、２つのシンボルが提供される。これは、図４のＶＨＴ−ＳＩＧＡ１およびＶＨＴ−ＳＩＧＡ２と同じ構造である。空間時間ストリーム割振りとトーン割振りの両方をこれらの２つの２４ビットシンボルに適合させるために、空間時間ストリームオプションに与えられる自由はより少ない。
【００４４】
[0078]図９の例はまた、図４のＶＨＴ−ＳＩＧＢフィールド１５４とやはり同様に、ＨＥトレーニングフィールドの後にＨＥ−ＳＩＧＢシンボル４５９を配置する。
【００４５】
[0079]しかしながら、この１１ａｃベースのプリアンブルに関する１つの潜在的な問題は、この設計はＨＥ−ＳＩＧ−Ｂ４７０の空間制限に陥る可能性があることである。たとえば、ＨＥ−ＳＩＧ−Ｂ４７０は、少なくともＭＣＳ（４ビット）とテールビット（６ビット）とを含む必要があり得る。したがって、ＨＥ−ＳＩＧ−Ｂ４７０は、少なくとも１０ビットの情報を含む必要があり得る。８０２．１１ａｃ仕様では、ＶＨＴ−ＳＩＧ−Ｂは１つのＯＦＤＭシンボルである。しかしながら、各サブバンドの帯域幅に応じて、単一のＯＦＤＭシンボル内に十分な数のビットが存在しない可能性がある。たとえば、下の表１はこの潜在的な問題を示す。  
【表１】
2016519909.tif 000001
【００４６】
[0080]表１に示されるように、各サブバンドが１０ＭＨｚである場合、単一のＯＦＤＭシンボルは１３ビットを提供する。これらのビットのうちの６はテールビットとして必要であり、したがって、７ビットがＭＣＳフィールドのために残る。上述のように、ＭＣＳフィールドは４ビットを必要とする。したがって、各サブバンドが少なくとも１０ＭＨｚである場合、ＨＥ−ＳＩＧ−Ｂ４７０のために単一のＯＦＤＭシンボルが使用され得、これは４ビットのＭＣＳフィールドを含むために十分であり得る。しかしながら、各サブバンドが、代わりに、５ＭＨｚまたは６ＭＨｚである場合、これはＯＦＤＭシンボルあたりに６ビットまたは８ビットだけを可能にし得る。これらのビットのうち、６ビットはテールビットである。したがって、０ビットまたは２ビットだけがＭＣＳフィールドに利用可能である。これはＭＣＳフィールドを提供するには不十分である。ＳＩＧＢフィールドにおいて必要とされる情報を提供するにはサブバンド粒度があまりにも小さいこれらの事例では、ＨＥ−ＳＩＧ−Ｂ４７０のために１を超えるＯＦＤＭシンボルが使用され得る。必要とされるシンボルの数は、システムが可能にする最小サブバンドに関係する。これが、ＩＥＥＥ８０２．１１ファミリーＯＦＤＭシステムにおける１３のトーンに対応する、５ＭＨｚである場合、ＨＥ−ＳＩＧ−Ｂのための２つのシンボルは、ＨＥ−ＳＩＧ−Ｂ情報ＭＣＳおよびテールビット用に十分な長さである１２ビットを提供するために、ＢＰＳＫ変調および１／２前方誤り訂正コードレートを可能にする。図１０は、本開示の態様が採用され得るワイヤレス通信システム１００の一例を示す。ワイヤレス通信システム１００は、ワイヤレス規格、たとえばＩＥＥＥ８０２．１１規格に従って動作することができる。ワイヤレス通信システム１００は、ＳＴＡ１０６ａ、１０６ｂ、１０６ｃ、および１０６ｄ（総称してＳＴＡ１０６）と通信するＡＰ１０４を含み得る。ネットワークは、レガシーＳＴＡ１０６ｂと高効率（ＨＥ）ＳＴＡ１０６ａ、１０６ｃ、１０６ｄの両方を含み得る。
【００４７】
[0081]様々な処理および方法が、ＡＰ１０４とＳＴＡ１０６との間のワイヤレス通信システム１００における送信のために使用され得る。たとえば、信号は、ＯＦＤＭ／ＯＦＤＭＡ技法に従ってＡＰ１０４とＳＴＡ１０６との間で送受信され得る。この場合、ワイヤレス通信システム１００は、ＯＦＤＭ／ＯＦＤＭＡシステムと呼ばれ得る。
【００４８】
[0082]ＡＰ１０４からＳＴＡ１０６のうちの１つまたは複数への送信を容易にする通信リンクは、ダウンリンク（ＤＬ）１０８と呼ばれることがあり、ＳＴＡ１０６のうちの１つまたは複数からＡＰ１０４への送信を容易にする通信リンクは、アップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。いくつかの態様では、一部のＤＬ１０８通信は、ＨＥパケット１３０など、ＨＥパケットであり得る。そのようなＨＥパケットは、レガシーＳＴＡ１０６ｂにＨＥパケット１３０を認識させて、その送信の持続時間の間、ＨＥパケット１３０の送信に譲歩させるために十分な情報を含む、８０２．１１ａおよび８０２．１１ｎなどの仕様に従うプリアンブル情報など、レガシープリアンブル情報を含み得る。同様に、ＨＥパケット１３０であるＤＬ１０８通信は、上で論じたように、どのデバイスがＨＥパケット１３０内で情報を受信することができるかをＨＥ  ＳＴＡ１６０ａ、１０６ｃ、１０６ｄに知らせるために十分な情報を含み得る。
【００４９】
[0083]ＡＰ１０４は、基地局の役割を果たし、基本サービスエリア（ＢＳＡ）１０２内のワイヤレス通信カバレッジを提供し得る。ＡＰ１０４は、そのＡＰ１０４と関連付けられた、そのＡＰ１０４を通信に使用するＳＴＡ１０６とともに、基本サービスセット（ＢＳＳ）と呼ばれることもある。なお、ワイヤレス通信システム１００は、中央のＡＰ１０４を有さないこともあり、むしろＳＴＡ１０６間のピアツーピアネットワークとして機能し得ることに留意されたい。したがって、本明細書で説明するＡＰ１０４の機能は、代替的に、ＳＴＡ１０６のうちの１つまたは複数によって実行され得る。
【００５０】
[0084]図１１は、ワイヤレス通信システム１００内で採用され得るワイヤレスデバイス２０２で利用され得る様々な構成要素を示す図である。ワイヤレスデバイス２０２は、本明細書で説明する様々な方法を実装するように構成され得るデバイスの一例である。たとえば、ワイヤレスデバイス２０２は、図１０のＡＰ１０４、またはＳＴＡ１０６のうちの１つを備え得る。いくつかの態様では、ワイヤレスデバイス２０２は、ＨＥパケット１３０など、ＨＥパケットを送信するように構成されたＡＰを備え得る。
【００５１】
[0085]ワイヤレスデバイス２０２は、ワイヤレスデバイス２０２の動作を制御するプロセッサ２０４を含み得る。プロセッサ２０４は、また、中央処理装置（ＣＰＵ）と呼ばれる場合もある。読取り専用メモリ（ＲＯＭ）とランダムアクセスメモリ（ＲＡＭ）の両方を含み得るメモリ２０６は、プロセッサ２０４に命令とデータとを供給する。メモリ２０６の一部分は、不揮発性ランダムアクセスメモリ（ＮＶＲＡＭ）も含み得る。プロセッサ２０４は、通常は、メモリ２０６内に記憶されたプログラム命令に基づいて、論理動作および演算動作を実行する。メモリ２０６中の命令は、本明細書で説明する方法を実装するように実行可能であり得る。たとえば、ワイヤレスデバイス２０２がＡＰ１０４である場合、メモリ２０６は、ワイヤレスデバイス２０２が、ＨＥパケット１３０など、ＨＥパケットを送信することを可能にするために十分な命令を含み得る。たとえば、メモリ２０６は、ワイヤレスデバイス２０２がレガシープリアンブル、続いて、ＨＥ−ＳＩＧまたはＨＥ−ＳＩＧ−Ａを含むＨＥプリアンブルを送信することを可能にするために十分な命令を含み得る。いくつかの態様では、ワイヤレスデバイス２０２は、ワイヤレスデバイス２０２が本明細書で開示する実施形態に従ってフレームを送信することを可能にするために十分な命令を含み得るフレームフォーマット回路２２１を含み得る。たとえば、フレームフォーマット回路２２１は、ワイヤレスデバイス２０２が、レガシープリアンブルと高効率プリアンブルの両方を含むパケットを送信することを可能にするために十分な命令を含み得る。
【００５２】
[0086]プロセッサ２０４は、１つまたは複数のプロセッサとともに実装される処理システムの構成要素を備える、またはその構成要素であり得る。この１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、ステートマシン、ゲート型論理、離散ハードウェア構成要素、専用ハードウェア有限ステートマシン、または情報の計算または他の操作を実行することができる任意の他の適当なエンティティの任意の組合せで実装され得る。
【００５３】
[0087]処理システムは、ソフトウェアを記憶するための機械可読媒体も含み得る。ソフトウェアは、ソフトウェア、ファームウェア、ミドルウェア、マイクロコード、ハードウェア記述言語、または他の用語のいずれと呼称されるかにかかわらず、任意のタイプの命令を意味するものとして広範に解釈されるものとする。命令は、コード（たとえばソースコードフォーマット、バイナリコードフォーマット、実行可能コードフォーマット、または任意の他の適当なコードフォーマットのもの）を含み得る。命令は、１つまたは複数のプロセッサによって実行されたときに、処理システムに、本明細書で説明する様々な機能を実行させる。
【００５４】
[0088]ワイヤレスデバイス２０２は、ワイヤレスデバイス２０２と遠隔位置との間のデータの送受信を可能にする送信機２１０と受信機２１２とを含み得るハウジング２０８も含み得る。送信機２１０および受信機２１２は、トランシーバ２１４に結合され得る。アンテナ２１６は、ハウジング２０８に取り付けられ、トランシーバ２１４に電気的に結合され得る。ワイヤレスデバイス２０２は、複数の送信機、複数の受信機、複数のトランシーバ、および／または複数のアンテナも含み得る（図示せず）。
【００５５】
[0089]ワイヤレスデバイス２０２は、トランシーバ２１４によって受信された信号のレベルを検出し、定量化するために使用され得る信号検出器２１８も含み得る。信号検出器２１８は、総エネルギー、シンボルごとのサブキャリア当たりのエネルギー、電力スペクトル密度、および他の信号などの信号を検出することができる。ワイヤレスデバイス２０２は、信号を処理する際に使用するデジタル信号プロセッサ（ＤＳＰ）２２０も含み得る。ＤＳＰ２２０は、送信用のデータユニットを生成するように構成され得る。いくつかの態様では、データユニットは、物理レイヤデータユニット（ＰＰＤＵ）を備え得る。いくつかの態様では、ＰＰＤＵはパケットと呼ばれる。
【００５６】
[0090]一部の態様では、ワイヤレスデバイス２０２はさらに、ユーザインターフェース２２２を備え得る。ユーザインターフェース２２２は、キーパッド、マイクロホン、スピーカ、および／またはディスプレイを含み得る。ユーザインターフェース２２２は、ワイヤレスデバイス２０２のユーザに情報を伝える、および／またはユーザからの入力を受信する、任意の要素または構成要素を含み得る。
【００５７】
[0091]ワイヤレスデバイス２０２の様々な構成要素は、バスシステム２２６によってともに結合され得る。バスシステム２２６は、たとえば、データバス、ならびに、データバスに加えて、電力バスと、制御信号バスと、ステータス信号バスとを含み得る。ワイヤレスデバイス２０２の構成要素は、何らかの他の機構を使用して、一緒に結合され得るか、または互いに対する入力を受け入れ、もしくは提供し得ることを当業者は諒解されよう。
【００５８】
[0092]図１１にはいくつかの別個の構成要素が示されているが、これらの構成要素のうちの１つまたは複数は、結合され得る、または共通に実装され得る。たとえば、プロセッサ２０４は、プロセッサ２０４に関して上述した機能を実装するためだけでなく、信号検出器２１８および／またはＤＳＰ２２０に関連して上述した機能を実装するためにも、使用され得る。さらに、図１１に示される構成要素の各々は、複数の別個の要素を用いて実装され得る。さらに、プロセッサ２０４は、以下で説明する構成要素、モジュール、回路などのいずれかを実装するために使用され得、または各々が複数の別個の要素を使用して実装され得る。
【００５９】
[0093]図１２は、後方互換性多元接続ワイヤレス通信を可能にするために使用され得るアップリンク物理層パケット８３０の例示的な構造を示す。そのようなアップリンクメッセージ内では、ＡＰの最初のダウンリンクメッセージによってＮＡＶが設定されるため、レガシープリアンブルは必要とされない。したがって、アップリンクパケット８３０はレガシープリアンブルを含まない。アップリンクパケット８３０は、ＡＰによって送られたＵＬ−ＯＦＤＭＡアナウンスメッセージに応答して送られ得る。
【００６０】
[0094]アップリンクパケット８３０はいくつかの異なるＳＴＡによって送られ得る。たとえば、ダウンリンクパケット内で識別される各ＳＴＡは、アップリンクパケット８３０の一部を送信することができる。ＳＴＡの各々は、その割り当てられた１つの帯域幅内でまたは複数の帯域幅内で同時に送信することができ、その送信は、単一のパケットとしてＡＰによって受信され得る。
【００６１】
[0095]パケット８３０において、各ＳＴＡは、前述したように、最初のダウンリンクメッセージ内のトーン割当ての間、そのＳＴＡに割り当てられたチャネルまたはサブバンドだけを使用する。これは、ＡＰ上の完全な直交受信処理を可能にする。これらのサブバンドの各々の上でメッセージを受信するために、ＡＰはパイロットトーンを受信しなければならない。残余周波数オフセットに起因するまたは位相雑音に起因するデータシンボルにわたる位相変化に関して補正するためのシンボルごとの位相オフセットを推定するために、これらのパイロットトーンが位相追跡のために８０２．１１パケット内で使用される。この位相オフセットはまた、時間および周波数の追跡ループに送られ得る。
【００６２】
[0096]パイロットトーンを送信するために、少なくとも２つの異なるオプションが使用され得る。第１に、各ユーザは、その割り当てられたサブバンドに該当するパイロットトーンを送信することができる。しかしながら、低帯域幅ＯＦＤＭＡ割振りの場合、これは一部のユーザにとって十分な数のパイロットトーンを可能にしない場合がある。たとえば、８０２．１１ａ／ｎ／ａｃにおける２０ＭＨｚ送信には４つのパイロットトーンが存在する。しかしながら、ユーザに５ＭＨｚだけが割り当てられている場合、そのユーザはそのサブバンド内に１つのパイロットトーンだけを有し得る。ディープフェードなど、何らかの問題がそのパイロットトーンで生じる場合、良好な位相推定を得ることは非常に困難であり得る。
【００６３】
[0097]パイロットトーンを送信する別の可能な方法は、各ユーザが、そのサブバンドに該当するパイロットトーンだけではなく、すべてのパイロットトーン上で送信することに関連し得る。これは結果として、ユーザごとに多数のパイロットトーンを送信させることをもたらし得る。しかしながら、これは結果として、ＡＰが複数のユーザから各パイロットトーンを同時に受信することになり得、これはＡＰにとって処理がより困難なものとなり得る。ＡＰはすべてのユーザに関するチャネルを推定することが必要であろう。これを達成するために、すべてのユーザの空間ストリームの合計に対応する数など、より多くのＬＴＦが必要となる場合がある。たとえば、４人のユーザの各々が２つの空間ストリームに関連付けられた場合、この手法では、８つのＬＴＦが使用され得る。
【００６４】
[0098]このようにして、各ＳＴＡはＨＥ−ＳＴＦ８３５を送信することができる。パケット８３０に示すように、ＨＥ−ＳＴＦ８３５は、８ｕｓで送信され得、２つのＯＦＤＭＡシンボルを含み得る。各ＳＴＡは、また、１つまたは複数のＨＥ−ＬＴＦ８４０を送信することもできる。パケット８３０に示すように、ＨＥ−ＬＴＦ８４０は、８ｕｓで送信され得、２つのＯＦＤＭＡシンボルを含み得る。たとえば、前述のように、各ＳＴＡは、そのＳＴＡに割り当てられた各サブバンドについてＨＥ−ＬＴＦ８４０を送信することができる。各ＳＴＡは、また、ＨＥ−ＳＩＧ８４５を送信することもできる。ＨＥ−ＳＩＧ８４５の長さは、Ｕの各々に対して１つのＯＤＦＭＡシンボル長（４ｕｓ）であり得、この場合、Ｕは送信において多重化されたＳＴＡの数である。たとえば、４つのＳＴＡがアップリンクパケット８３０を送っている場合、ＨＥ−ＳＩＧ８４５は１６ｕｓであり得る。ＨＥ−ＳＩＧ８４５の後、追加のＨＥ−ＬＴＦ８４０が送信され得る。最終的に、各ＳＴＡはデータ８５５を送信することができる。
【００６５】
[0099]結合されたアップリンクパケット８３０を送るために、ＳＴＡの各々は、他のＳＴＡとの時間、周波数、および電力の点で互いと同期することができる。そのようなパケットに必要とされるタイミング同期は、およそ１００ｎｓ程度におけるものであり得る。このタイミングは、ＡＰのＵＬ−ＯＦＤＭＡアナウンスメッセージに応答することによって協調がとられ得る。このタイミング精度は、当業者に知られているいくつかの解決策を使用して得られ得る。たとえば、ショートフレーム間スペース（ＳＩＦＳ）のタイミングをとるために８０２．１１ａｃデバイスおよび８０２．１１ｎデバイスによって使用される技法は、結合されたアップリンクパケット８３０を得るために必要とされるタイミング精度を提供するために十分であり得る。このタイミング精度はまた、アップリンククライアント間のタイミングエラーおよび往復遅延差を吸収する目的で、４００ｎｓガードタイムを得るためにアップリンクＯＦＤＭＡに対してだけ８００ｎｓの長さのガードインターバルを使用することによって維持され得る。
【００６６】
[00100]アップリンクパケット８３０によって対処されなければならない別の技術的課題は、送る側のデバイスの周波数が同期されなければならないことである。アップリンクパケット８３０など、ＵＬ−ＯＦＤＭＡシステム内のＳＴＡ間で周波数オフセット同期に対応するためのいくつかのオプションが存在する。第１に、各ＳＴＡはその周波数差を計算して、それを補正することができる。たとえば、ＳＴＡは、ＳＴＡに送られたＵＬ−ＯＦＤＭＡアナウンスメッセージに基づいて、ＡＰに関する周波数オフセットを計算することができる。このメッセージに基づいて、ＳＴＡは時間領域アップリンク信号に位相ランプを適用することができる。ＡＰはまた、ＬＴＦを使用して、各ＳＴＡに関する共通位相オフセットを推定することができる。たとえば、ＳＴＡによって送信されるＬＴＦは周波数の点で直交であり得る。したがって、ＡＰは、ＳＴＡインパルス応答を分離するために、ウィンドウ化された逆高速フーリエ変換（ＩＦＦＴ）関数を使用することができる。２つの同一ＬＴＦシンボルにわたるこれらのインパルス応答の変動は、あらゆるユーザに関する周波数オフセット推定を与えることができる。たとえば、ＳＴＡにおける周波数オフセットは、経時的に位相ランプをもたらし得る。したがって、２つの同一のＬＴＦシンボルが送信される場合、ＡＰは、周波数オフセットの推定値を得る目的で２つのインパルス応答にわたる位相の勾配を計算するために、それらの２つのシンボル間の差を使用することが可能であり得る。この手法は、当業者に知られている可能性があるＵＬ−ＭＵ−ＭＩＭＯメッセージで提案されているトーンインターリーブ手法と同様であり得る。
【００６７】
[00101]図１３は、２以上のワイヤレス通信デバイスに高効率パケットを送信する例示的な方法に関するプロセスフロー図を示す。この方法は、ＡＰなどのデバイスによって行われ得る。
【００６８】
[00102]ブロック９０５で、ＡＰはレガシープリアンブルを送信し、該レガシープリアンブルは、パケットに譲歩するようにレガシーデバイスに知らせるために十分な情報を含む。たとえば、レガシープリアンブルは、パケットに譲歩するようにレガシーデバイスに警告するために使用され得る。レガシーパケットは、予約済みビットまたは予約済みビットの結合を含み得る。これらの予約済みビットは、レガシーデバイスにやはりパケットに譲歩させながら、高効率プリアンブルについてパケットをリッスンし続けるように高効率デバイスに警告し得る。いくつかの態様では、レガシープリアンブルを送信するための手段は送信機を備え得、該レガシープリアンブルは、パケットに譲歩するようにレガシーデバイスに知らせるために十分な情報を含む。
【００６９】
[00103]ブロック９１０で、ＡＰは高効率信号を送信し、該高効率信号はトーン割振り情報を含み、トーン割振り情報は２以上のワイヤレス通信デバイスを識別する。いくつかの態様では、高効率信号は、パケット内で情報を受信することになるＳＴＡを識別する情報を含み得るトーン割振り情報を含み得、どのサブバンドがそれらのＳＴＡを対象とするかをそれらのＳＴＡに警告することができる。いくつかの態様では、高効率パケットはまた、８０２．１１ａｃデバイスにパケットに譲歩させるために十分な情報を含み得る。いくつかの態様では、高効率信号を送信するための手段は送信機を備え得、該高効率信号はトーン割振り情報を含み、トーン割振り情報は２以上のワイヤレス通信デバイスを識別する。いくつかの態様では、高効率信号は、２以上のワイヤレス通信デバイスの各々にいくつかの空間ストリームが割り当てられ得ることのインジケーションをさらに備え得る。たとえば、２以上のワイヤレス通信デバイスの各々には１つまたは複数の空間ストリームが割り当てられ得る。いくつかの態様では、１つまたは複数の空間ストリームを２以上のワイヤレス通信デバイスの各々に割り当てるための手段は、送信機またはプロセッサを備え得る。
【００７０】
[00104]ブロック９１５で、ＡＰはデータを２以上のワイヤレス通信デバイスに同時に送信し、データは２以上のサブバンド上に含まれる。たとえば、ＡＰはデータを最高で４つのＳＴＡに送信することができる。いくつかの態様では、データを２以上のワイヤレス通信デバイスに同時に送信するための手段は送信機を備え得、データは２以上のサブバンド上に含まれる。
【００７１】
[00105]いくつかの態様では、ＡＰは、ＩＥＥＥ８０２．１１ａ／ｎ／ａｃデバイスなど、レガシーデバイスに関する両方に関するデータと、１つまたは複数の高効率デバイスに関するデータとを含む、ハイブリッドパケットを送信することができる。そのようなハイブリッドパケットは、レガシーデバイスと高効率デバイスの両方を含む混合環境で帯域幅のより効率的な使用を可能にし得る。たとえば、レガシーシステムでは、ＡＰが８０ＭＨｚを使用するように構成されている場合、ＡＰが、全８０ＭＨｚを使用することができないデバイスにパケットを送信している場合、そのＡＰに割り当てられた帯域幅の一部は未使用になり得る。これは、高効率パケットの使用によって対処される１つの問題である。しかしながら、ＳＴＡのうちのいくつかが高効率であり、ＳＴＡのうちのいくつかがレガシーデバイスである環境では、そのＡＰが使用するように構成された全帯域幅を使用することができないレガシーデバイスに送信するときには、帯域幅はやはり未使用になる可能性がある。たとえば、上で論じたように、そのようなシステム内の高効率パケットは全帯域幅を使用することができるが、レガシーパケットはそれが可能でない。したがって、レガシーデバイスがパケットの帯域幅の一部において情報を受信することができるのに対して、高効率デバイスはそのパケットの別の部分内で情報を受信することができる、ハイブリッドパケットを提供することが有益であり得る。そのようなパケットの一部は、ＩＥＥＥ８０２．１１ａ／ｎ／ａｃなど、レガシー準拠フォーマットでデータを送信することができ、パケットの一部はデータを高効率デバイスに送信することができるため、そのようなパケットはハイブリッドパケットと呼ばれる場合がある。
【００７２】
[00106]例示的なハイブリッドパケット１４００を図１４に示す。そのようなハイブリッドパケットは、ＡＰなど、ワイヤレスデバイスによって送信され得る。ハイブリッドパケットは、データがレガシーデバイスに送信されるレガシー部分と、データが高効率デバイスに送信される高効率部分とを含み得る。
【００７３】
[00107]ハイブリッドパケット１４００は、各々が、パケットの帯域幅の一部を通じて重複（duplicated）される、いくつかのレガシープリアンブルを含み得る。たとえば、例示的なハイブリッドパケット１４００は、パケット１４００の８０ＭＨｚの帯域幅を介して重複された４つの２０ＭＨｚレガシープリアンブルを含む８０ＭＨｚパケットとして示される。８０ＭＨｚ帯域の一部だけの上で動作し得る他のデバイスがパケットに譲歩することを確実にするために、そのような重複がレガシーフォーマットで使用され得る。いくつかの態様では、ネットワーク内のデバイスの各々は、デフォルトによって、プライマリチャネルだけを監視することができる。
【００７４】
[00108]ハイブリッドパケット１４００は、ＩＥＥＥ８０２．１１ａ／ｎ／ａｃなど、レガシーフォーマットで指定されるものと同じであるＬ−ＳＴＦ１４０５とＬ−ＬＴＦ１４１０とを含み得る。これらのフィールドは上で論じたのと同じであり得る。しかしながら、ハイブリッドパケット１４００のＬ−ＳＩＧ１４１５は、レガシーパケットのＬ−ＳＩＧとは異なり得る。Ｌ−ＳＩＧ１４１５は、そのパケットがハイブリッドパケットであることを高効率デバイスにシグナリングするために使用される情報を含み得る。レガシーデバイスがパケット内の情報を受信することも可能になるために、この情報は、その情報がＬ−ＳＩＧ１４１５のその受信を中断させないように、レガシーデバイスから隠されなければならない。
【００７５】
[00109]Ｌ−ＳＩＧ１４１５は、Ｌ−ＳＩＧ１４１５内の情報に対して１ビットコードを直交に配置することによって、そのパケットがハイブリッドパケットであることを高効率デバイスにシグナリングすることができる。たとえば、上で論じたように、１ビットコードはＬ−ＳＩＧ１４１５のＱレール上に配置され得る。レガシーデバイスは、その１ビットコードに気づかない場合があり、Ｌ−ＳＩＧ１４１５をいつものように読み取ることが可能であり得るが、高効率デバイスは、この１ビットコードを特に探して、それが存在するか否かを決定することが可能であり得る。この１ビットコードは、ハイブリッドパケットが送られていることを高効率デバイスにシグナリングするために使用され得る。いくつかの態様では、１ビットコードは、そのコードを探すように構成されていない可能性があるレガシーデバイスから隠される場合があるか、またはレガシーデバイスに見えない場合がある。いくつかの態様では、レガシーデバイスは、１ビットコードの存在による、何らかの不規則性を観測せずに、Ｌ−ＳＩＧ１４１５を理解することが可能であり得る。いくつかの態様では、プライマリチャネル内のＬ−ＳＩＧ１４１５だけが、ＨＥ−ＳＩＧ１４２５用の他のチャネルを調べるように高効率デバイスに命令するための１ビットコードを含むことが可能である。いくつかの態様では、いくつかのＬ−ＳＩＧ１４１５は、この１ビットインジケータを有する場合があり、この場合、そのインジケータを備えたＬ−ＳＩＧ１４１５の数は、レガシーパケットに関して使用されるべきチャネルの数に等しい。たとえば、レガシーパケットが第１のチャネルと第２のチャネルの両方を含むことになるが、第３のチャネルは含まないことになる場合、第１のチャネル内および第２のチャネル内のＬ−ＳＩＧは１ビットインジケータを含み得るが、第３のチャネル内のＬ−ＳＩＧはこのインジケータを含まない。高効率デバイスは、１ビットコードを含まないＬ−ＳＩＧを有する第１のチャネルを調べて、ＨＥ−ＳＩＧ１４２５の存在についてそのチャネルを監視するように構成され得る。いくつかの態様では、ＶＨＴ−ＳＩＧ−Ａ１４２０内の帯域幅情報は、レガシーパケット１４３０がどの程度の帯域幅を使用することになるか、したがって、どの帯域幅でＨＥパケット１４３５が開始し得るかに関する情報を含み得る。いくつかの態様では、１ビットコードは、データをＨＥデバイスに送信するために使用されることになるチャネル内で送信されているＬ−ＳＩＧ１４１５内にだけに含まれ得る。たとえば、レガシーデバイスに送信するために第１のチャネルが使用され、特定のパケット内でＨＥデバイスに送信するために３つの他のチャネルが使用される場合、これらの３つの他のチャネル内で送信されるＬ−ＳＩＧ１４１５の各々は１ビットコードを含み得る。いくつかの態様では、ＨＥパケット内で、各Ｌ−ＳＩＧ１４１５は、各チャネルがデータをＨＥデバイスに送信するために使用され得ることを示すための１ビットコードを含み得る。いくつかの態様では、これは、ＨＥパケットまたはハイブリッドパケットのＨＥ部分に関して使用される帯域幅が、パケットのＬ−ＳＩＧ１４１５を使用してシグナリングされることを可��にし得る。パケットのＨＥ部分に関して使用される帯域幅がＬ−ＳＩＧ１４１５内でシグナリングされる場合、これは、ＨＥパケット内またはハイブリッドパケット内のＨＥ−ＳＩＧ１４２５がパケットのＨＥ部分に割り当てられた帯域幅のより大きな部分に及ぶのを可能にし得る。たとえば、ＨＥ−ＳＩＧ１４２５は、ＨＥパケットに割り当てられた帯域幅に及ぶように構成され得る。いくつかの態様では、ＨＥ−ＳＩＧ１４２５用に２０ＭＨｚだけを使用するのではなく、ＨＥ−ＳＩＧ１４２５用により多くの帯域幅を使用することは、より多くの情報がＨＥ−ＳＩＧ１４２５内で送信されることを可能にし得る。いくつかの態様では、ＨＥ−ＳＩＧ１４２５の第１のシンボルは、そのパケットのＨＥ部分に割り当てられた帯域幅の各２０ＭＨｚ上で重複して送信され得るのに対して、ＨＥ−ＳＩＧ１４２５の残りのシンボルは、そのパケットのＨＥ部分に割り当てられた全帯域幅を使用して送信され得る。たとえば、ＨＥ−ＳＩＧ１４２５の第１のシンボルは、ＨＥパケットまたはハイブリッドパケットのＨＥ部分に割り振られた帯域幅を送信するために使用され得、したがって、後続のシンボルは、そのパケットのＨＥ部分に割り当てられた全帯域幅上で送信され得る。
【００７６】
[00110]Ｌ−ＳＩＧ１４１５内の１ビットコードを受信するとすぐに、高効率デバイスは、ＨＥ−ＳＩＧ１４２５を見出すために、高帯域チャネルなど、ＡＰに割り振られた帯域幅の高帯域部分内を調べるように構成され得る。たとえば、ハイブリッドパケット１４００内で、直交方向で１ビットコードを備えたＬ−ＳＩＧ１４１５を受信するとすぐ、高効率デバイスは、レガシーパケットとともに、他の周波数帯域内で送信され得る、ＨＥ−ＳＩＧ１４２５など、ＨＥ−ＳＩＧ用のレガシーデバイスにデータを搬送するチャネルとは別の２０ＭＨｚチャネル内を調べるように構成され得る。たとえば、例示的なハイブリッドパケット１４００内で、ＨＥ−ＳＩＧ１４２５はＶＨＴ−ＳＩＧ−Ａ１４２０と同時に送信されるとして示される。この例では、ハイブリッドパケット１４００は、帯域幅の下位部上にＩＥＥＥ８０２．１１ａｃ互換性パケットを、帯域幅の上位部上に高効率パケットを含み得る。ハイブリッドパケット１４００はまた、下位部内にＩＥＥＥ８０２．１１ａ互換性パケットまたはＩＥＥＥ８０２．１１ｎ互換性パケットを含み得る。重要なことには、下位部がどのタイプのパケットであるかにかかわらず、Ｌ−ＳＩＧ１４１５は、そのパケットがハイブリッドパケットであることを高効率デバイスにシグナリングし、したがって、別の周波数内でＨＥ−ＳＩＧ１４２５を探すために十分なシグナリング情報を含むように構成され得る。
【００７７】
[00111]いくつかの態様では、ＨＥ−ＳＩＧ１４２５は、前に論じた前の高効率信号フィールドと同様であり得る。いくつかの態様では、高効率パケットとハイブリッドパケットの両方を送信するＡＰは、パケットが高効率パケットであることを示すために、Ｑレール内で１ビットシグナリングを使用するのではなく、ＨＥ−ＳＩＧ１４２５内で回転ＢＰＳＫコンスタレーション（ＱＢＰＳＫ）シンボルを備えたシンボルを使用することができるが、これは、Ｑレール上で１ビット信号を使用することは、代わりに、パケットが、ハイブリッドパケット１４００など、ハイブリッドパケットであることをシグナリングするために使用され得るためである。たとえば、ＨＥ−ＳＩＧ１４２５は、どの１つまたは複数のデバイスが、先に論じたように、グループＩＤを使用することによってなど、パケット内の情報を受信し得るかを高効率デバイスに知らせるために使用され得る。したがって、高効率デバイスは、Ｌ−ＳＴＦ１４０５、Ｌ−ＬＴＦ１４１０、およびＬ−ＳＩＧ１４１５を受信および復号するように構成され得る。Ｌ−ＳＩＧ１４１５が１ビットコードを含む場合、高効率デバイスは、ハイブリッドパケットの高効率部分がその特定のデバイスに関する情報を含むかどうかを決定するために、より高い周波数帯域にあるＨＥ−ＳＩＧ１４２５を位置特定および復号するように構成され得る。
【００７８】
[00112]いくつかの態様では、レガシーパケットは、示したように、帯域幅の２０ＭＨｚだけを占める場合がある。しかしながら、パケット１４００のレガシー部分は、同様に、異なる量の帯域幅を占める場合もある。たとえば、ハイブリッドパケットのレガシー部分は、４０ＭＨｚ、６０ＭＨｚ、８０ＭＨｚ、または他のサイズのレガシーパケットを備え得るのに対して、ハイブリッドパケット１４００の高効率部分は、利用可能な帯域幅の残りの部分を使用することができる。いくつかの態様では、２０ＭＨｚ以外のサイズのチャネルも使用され得る。たとえば、チャネルは、５ＭＨｚ、１０ＭＨｚ、１５ＭＨｚ、４０ＭＨｚ、または他のサイズであり得る。いくつかの態様では、レガシーＶＨＴ−ＳＩＧ−Ａ１４２０に続いて、レガシーパケット１４３０はプライマリチャネルにおいてレガシーデバイスに送信され得る。いくつかの態様では、レガシーパケット１４３０は、少なくともプライマリチャネルを含み得、追加のチャネルも含み得る。たとえば、このレガシーパケット１４３０は、ＩＥＥＥ８０２．１１ａデバイス、８０２．１１ｎデバイス、または８０２．１１ａｃデバイスと互換性があり得る。いくつかの態様では、１つまたは複数のＨＥ−ＳＩＧ１４２５に続いて、ＡＰに利用可能な帯域幅の少なくとも一部を使用して、高効率パケット１４３５は１つまたは複数の高効率デバイスに送信され得る。いくつかの態様では、レガシーパケットは複数のレガシーデバイスに送られ得る。たとえば、ハイブリッドパケットは、２つ以上の８０２．１１ａｃ互換性ＳＴＡに送られるＭＵ−ＭＩＭＯ８０２．１１ａｃパケットを備え得る。
【００７９】
[00113]図１５は、ハイブリッドパケットを送信する例示的な方法１５００を示す。該方法は、ＡＰなどのワイヤレスデバイスによって行われ得る。
【００８０】
[00114]ブロック１５０５で、ＡＰは帯域幅の第１の部分において１つまたは複数の第１のデバイスに送信する、ここで、１つまたは複数の第１のデバイスは第１の能力セットを有する。いくつかの構成では、１つまたは複数の第１のデバイスはレガシーデバイスであり得る。いくつかの態様では、帯域幅の第１の部分はプライマリチャネルであり得る。いくつかの態様では、第１のデバイスに送信するための手段は送信機であり得る。
【００８１】
[00115]ブロック１５１０で、ＡＰは、帯域幅の第２の部分において１つまたは複数の第２のデバイスに同時に送信する、ここで、１つまたは複数の第２のデバイスは第２の能力セットを有する、ここにおいて、送信は、第２の能力セットを有するデバイスが、第２の能力セットを有するデバイスに関する送信パラメータのセットを含むシンボルが送られる周波数帯域を位置特定するためのインジケーションを含むプリアンブルを備える、この場合、インジケーションは、第１の能力セットを有するデバイスのプリアンブル復号に実質的な影響を有さないように送られる。いくつかの態様では、１つまたは複数の第２のデバイスに送信するための手段は送信機であり得る。いくつかの態様では、プリアンブルはレガシープリアンブルであり得、インジケーションはレガシープリアンブル内のＬ−ＳＩＧ内の１ビットコードであり得る。いくつかの態様では、インジケーションは、プライマリチャネル内のＬ−ＳＩＧ内、プライマリチャネルおよび１つもしくは複数の他のチャネル内、または他のチャネル内に含まれ得る。
【００８２】
[00116]図１６は、ハイブリッドパケットを受信する例示的な方法を示す。いくつかの態様では、該方法は、高効率ワイヤレス通信デバイスなど、ＳＴＡによって使用され得る。
【００８３】
[00117]ブロック１６０５で、ＳＴＡはプライマリチャネル内でレガシープリアンブルを受信する。いくつかの態様では、レガシープリアンブルを受信するための手段は受信機であり得る。
【００８４】
[00118]ブロック１６１０で、ＳＴＡは、レガシープリアンブルが１つまたは複数のプライマリチャネル内の高効率信号フィールドを位置特定するように高効率デバイスに知らせるために十分な情報を含むかどうかを決定する。いくつかの実施形態では、判断するための手段はプロセッサまたは受信機であり得る。
【００８５】
[00119]ブロック１６１５で、ＳＴＡは１つまたは複数の非プライマリチャネルのうちの少なくとも１つにおいて高効率信号フィールドを受信する。いくつかの態様では、高効率信号フィールドを受信するための手段は受信機であり得る。いくつかの態様では、ＳＴＡは１つまたは複数の非プライマリチャネルのうちの少なくとも１つの上でデータをさらに受信することができる。いくつかの態様では、データを受信するための手段は受信機であり得る。
【００８６】
[00120]（高効率信号フィールドの遅延拡散保護および潜在的な構造）  
[00121]いくつかの態様では、屋外または他のワイヤレスネットワークは、１μｓを超えるものなど、比較的高い遅延拡散を有するチャネルを有し得る。たとえば、ピコ／マクロセルタワーアクセスポイントなど、高仰角におけるアクセスポイントは高い遅延拡散を有し得る。８０２．１１ａ／ｇ／ｎ／ａｃによるものなど、様々なワイヤレスシステムはわずか８００ｎｓのサイクリックプレフィックス（ＣＰ）長を使用する。この長さのほぼ半分は送信フィルタおよび受信フィルタによって消費され得る。この比較的短いＣＰ長、ならびに送信フィルタおよび受信フィルタからのオーバーヘッドにより、そのような８０２．１１ａ／ｇ／ｎ／ａｃネットワークは、高い遅延拡散を有する屋外展開には好適でない場合がある。
【００８７】
[00122]本開示の態様によれば、屋外展開で２．４ＧＨｚおよび５ＧＨｚのＷｉＦｉシステムの使用を可能にし得る、そのようなレガシーシステムと後方互換性があり、８００ｎｓよりも長いサイクリックプレフィックスをサポートするパケットフォーマット（ＰＨＹ波形）が提供される。
【００８８】
[00123]たとえば、１つまたは複数のビットの情報は、Ｌ−ＳＴＦ、Ｌ−ＬＴＦ、Ｌ−ＳＩＧのうちの１つもしくは複数の中、またはＨＥ−ＳＩＧなど、パケットプリアンブルの別の部分の中に埋め込まれることが可能である。これらの１つまたは複数のビットの情報は、上記のように、それらを復号するように構成されるデバイス用に含まれ得るが、レガシー（たとえば、８０２．１１ａ／ｇ／ｎ／ａｃ）受信機による復号に影響を及ぼさない。これらのビットは、屋外設定で、または潜在的に高い遅延拡散を有する別の設定でそのようなパケットの使用を可能にするために、遅延拡散保護を含むパケットのインジケーションを含み得る。
【００８９】
[00124]いくつかの態様では、いくつかの方法は、遅延拡散保護または遅延拡散許容差を提供するために使用され得る。たとえば、（たとえば、サンプルレートを低減させるためにダウンクロックする（downclocking）か、または同じサンプルレートを維持しながらＦＦＴ長を増大して）シンボル持続時間を増大させるために異なる送信パラメータが使用され得る。２×または４×だけなど、シンボル持続時間を増大することは、より高い遅延拡散に対して許容差を増大し得る。
【００９０】
[00125]いくつかの態様では、増大したシンボル持続時間は、Ｌ−ＳＩＧまたはＨＥ−ＳＩＧのフィールド内でシグナリングされ得る。いくつかの態様では、ネットワーク上の他のパケットは、増大したシンボル持続時間に関するシグナリングを含まない場合があり、むしろ、従来の、または「通常の」シンボル持続時間を有するパケットであり得る。「通常の」シンボル持続時間を保つことは、場合によっては望ましい場合があるが、これは、増大したシンボル持続時間は、一般に、増大したＦＦＴサイズを意味し、したがって、周波数エラーおよび増大したＰＡＰＲに対して増大した感度を意味するためである。さらに、ネットワーク内のすべてのデバイスがこの増大した遅延拡散許容差を必要とするとは限らない。したがって、場合によっては、増大したＦＦＴサイズは性能を損なう可能性があり、したがって、一部のパケットは従来のシンボル持続時間を使用することが望ましい場合がある。
【００９１】
[00126]したがって、いくつかの態様では、すべてのパケットは、Ｌ−ＳＩＧフィールドまたはＨＥ−ＳＩＧフィールドの後、増大したシンボル持続時間を含み得る。他の態様では、Ｌ−ＳＩＧまたはＨＥ−ＳＩＧ内の増大したシンボル持続時間をシグナリングする情報を含むパケットだけが増大したシンボル持続時間を含み得る。いくつかの態様では、増大したシンボル持続時間に関するシグナリングは、ＨＥ−ＳＩＧフィールド、およびＬ−ＳＩＧフィールド、ＶＨＴ−ＳＩＧ−Ａフィールド、またはパケット内の別のフィールドの中に含まれ得る。いくつかの態様では、このシグナリングは、たとえば、Ｌ−ＳＩＧまたはＨＥ−ＳＩＧなど、ＳＩＧフィールドのシンボル内のＱ−ＢＰＳＫ回転によって伝達され得る。いくつかの態様では、このシグナリングは、パケットのフィールドの、虚軸など、直交レール内に情報を隠すことによって伝達され得る。
【００９２】
[00127]いくつかの態様では、増大シンボル持続時間はアップリンクパケットまたはダウンリンクパケットのいずれかまたは両方に関して使用され得る。アップリンクパケットの場合、ＡＰは、増大したシンボル持続時間を使用してアップリンクパケットが送信され得ることを先行するダウンリンクパケット内でシグナリングすることができる。たとえば、アップリンクＯＦＤＭＡパケット内で、ＡＰは、より長いシンボル持続時間を使用するようにユーザに伝えるトーン割振りメッセージを送ることができる。この場合、アップリンクパケット自体は特定のシンボル持続時間を示すインジケーションを搬送する必要がない場合がある。いくつかの態様では、ＡＰからＳＴＡへの信号は、他の指定がない限り、すべての将来のアップリンクパケット内で特定のシンボル持続時間を使用するようにＳＴＡに知らせることができる。
【００９３】
[00128]いくつかの態様では、そのような遅延拡散保護は、上で説明したような高効率パケット内に組み込まれ得る。本明細書で提示するプリアンブルフォーマットは、レガシーデバイスが、パケットが８０２．１１ｎパケットであるか、８０２．１１ａパケットであるか、または８０２．１１ａｃパケットであるかを検出することを可能にしながら、遅延拡散保護がパケット内に含まれ得る方式を提供する。
【００９４】
[00129]本明細書で提示するプリアンブルフォーマットは、ＩＥＥＥ８０２．１１ａｃ（混合モードプリアンブル）パケットの場合のようにＬ−ＳＩＧベースの遅延を保つことができる。プリアンブルのレガシーセクションを８０２．１１ａ／ａｎ／ａｃ局によって復号可能にすることは、同じ送信においてレガシーデバイスとＨＥデバイスを混合することを容易にし得る。本明細書で提供するプリアンブルフォーマットは、ＨＥ  ＳＩＧ上に保護を提供するのに役立つ可能性があり、これは頑強な性能を達成するのに役立ち得る。たとえば、これらのプリアンブルフォーマットは、比較的厳しい規格試験シナリオでＳＩＧエラー率を１％以下に下げるのに役立ち得る。
【００９５】
[00130]図１７は、本開示の態様による、１つの例示的なＨＥプリアンブルフォーマットを有するパケットを示す。この例示的なＨＥプリアンブルフォーマットはＶＨＴプリアンブルフォーマットと比較され得る。示すように、ＨＥプリアンブルフォーマットは、第１のタイプのデバイス（たとえば、８０２．１１ａ／ａｃ／ｎデバイス）によって復号可能な１つまたは複数の信号（ＳＩＧ）フィールドと、第２のタイプのデバイス（たとえば、ＨＥデバイス）によって復号可能な１つまたは複数のＳＩＧフィールド（ＨＥ−ＳＩＧ１）とを含み得る。示すように、８０２．１１１／ａｃ／ｎデバイスは、Ｌ−ＳＩＧ内の持続時間フィールドに基づいて延期することができる。Ｌ−ＳＩＧの後に繰り返し高効率ＳＩＧ（ＨＥ−ＳＩＧ）フィールドが続き得る。示すように、繰り返しＨＥ−ＳＩＧフィールドの後、デバイスは、パケットがＶＨＴパケットであるかどうかをすでに知ることができ、したがって、ＶＨＴ−ＳＴＦ利得設定の問題は存在しない場合がある。
【００９６】
[00131]図１７に示すこの例示的なフォーマットでは、ＨＥ−ＳＩＧ１フィールドは、繰り返され、ＨＥデバイスに関するＨＥ−ＳＩＧ１に対して保護を与える通常のガードインターバル（ＧＩ）により先行され得る。繰り返しＨＥ−ＳＩＧ１により、このパケットはより低い信号対雑音比動作点を有し得、したがって、シンボル間干渉（ＩＳＩ）からより頑強な保護を提供し得る。いくつかの態様では、Ｌ−ＳＩＧは、Ｌ−ＳＩＧが影響を受けない後で、２つのシンボルに関するＱ−ＢＰＳＫ検査に基づいて、パケットタイプ検出として、６Ｍｂｐｓで送信し得る。
【００９７】
[00132]上で論じたように、ＨＥパケットをＨＥデバイスにシグナリングするために、様々な技法が使用され得る。たとえば、ＨＥパケットは、ＨＥ−ＳＩＧ１内のＣＲＣ検査に基づいて、またはＨＥ−ＳＩＧ１の反復に基づいて、Ｌ−ＳＩＧ内に直交レールインジケーションを配置することによってシグナリングされ得る。
【００９８】
[00133]ＨＥ−ＳＩＧ２上の遅延拡散保護は様々な形をとり得る。たとえば、ＨＥ−ＳＩＧ２は、追加の遅延拡散保護を提供するために、（２０ＭＨｚ内で）１２８のトーンを介して送信され得る。これは結果として、１．６ｕｓのガードインターバルをもたらし得るが、従来の数のトーンを含むことになるＬ−ＬＴＦに基づいて計算されたチャネル推定の補間を必要とし得る。別の例として、ＨＥ−ＳＩＧ２は同じシンボル持続時間を有し得るが、１．６ｕｓサイクリックプレフィックスで送られ得る。これは、従来の２５％の値よりもより多くのサイクリックプレフィックスオーバーヘッドをもたらし得るが、補間を必要としない可能性がある。一態様では、ＨＥ−ＳＩＧ２は、２０ＭＨｚごとに繰り返すのではなく、全帯域幅を通して送られることも可能である。これは、全帯域幅を示すために、ＨＥ−ＳＩＧ１内に帯域幅ビットが配置されることを必要とし得る。
【００９９】
[00134]図１８は、本開示の態様による、別の例示的なＨＥプリアンブルフォーマットを有するパケットを示す。図１７と同様に、この例示的なＨＥプリアンブルフォーマットはＶＨＴプリアンブルフォーマットと比較される。前述のように、ＩＥＥＥ８０２．１１ａ／ａｃ／ｎデバイスは、Ｌ−ＳＩＧ内の持続時間フィールドに基づいてパケットに譲歩することができる。Ｌ−ＳＩＧの後に繰り返し高効率ＳＩＧ（ＨＥ−ＳＩＧ）フィールドが続き得る。図１８に示す例示的なフォーマットでは、ＨＥ−ＳＩＧ１フィールドは繰り返され得るが、第１のＨＥ−ＳＩＧ１フィールドの前に通常のガードインターバルが先行するのに対して、第２のＨＥ−ＳＩＧ１は通常のガードインターバルに先行する。
【０１００】
[00135]第１のＨＥ−ＳＩＧ１の前および第２のＨＥ−ＳＩＧ１の後にガードインターバルが入れられるＨＥ−ＳＩＧ１のこの反復は、ＨＥデバイスに保護を提供し得る。ＨＥ−ＳＩＧ１セクションの中央部分は比較的大きなＣＰを有するＨＥ−ＳＩＧ１シンボルのように見える場合があることに気づかれよう。この態様では、Ｌ−ＳＩＧの後の第１のシンボルに対するＱ−ＢＰＳＫ検査は、影響を受けない。しかしながら、第２のシンボルに関するＱ−ＢＰＳＫ検査は、第２のＨＥ−ＳＩＧ１の後のガードインターバルにより、ランダムな結果をもたらし得る。しかしながら、これらのランダムな結果は、ＶＨＴデバイスに悪影響を有さない場合がある。たとえば、ＶＨＴデバイスは、パケットを８０２．１１ａｃパケットとして分類する可能性があるが、この時点で、デバイスはＶＨＴ−ＳＩＧ  ＣＲＣ検査の実行を試みることができ、これは失敗することになる。したがって、Ｌ−ＳＩＧ後の第２の信号に関するＱ−ＢＰＳＫ検査のランダムな結果にもかかわらず、ＶＨＴデバイスは、このパケットに依然として譲歩することになる。
【０１０１】
[00136]（ＩＥＥＥ８０２．１１ａｃと互換性がある）ＶＨＴデバイスなど、レガシーデバイスに関する自動検出プロセスは、それらのデバイスに図１８のパケットに譲歩させることになるため、これらのパケットは依然として６Ｍｂｐｓを搬送し得る。図１７のパケットと同様、そのパケットがＨＥパケットであることをＨＥデバイスにシグナリングするために、上で論じた、いくつかの技法が使用され得る。同様に、ＨＥ−ＳＩＧ２内に含まれたフィールドなど、いくつかの方法でパケットの遅延拡散保護に関する情報がＨＥデバイスに提供され得る。
【０１０２】
[00137]図１９は、本開示の態様による、別の例示的なＨＥプリアンブルフォーマットを有するパケットを示す。前述のように、この例示的なＨＥプリアンブルフォーマットは８０２．１１ａｃ  ＶＨＴプリアンブルフォーマットと同様である。示すように、８０２．１１ａ／ａｃ／ｎデバイスは、Ｌ−ＳＩＧ内の持続時間フィールドに基づいてパケットに譲歩することができる。Ｌ−ＳＩＧの後に繰り返し高効率ＳＩＧ（ＨＥ−ＳＩＧ）フィールドが続き得る。
【０１０３】
[00138]図１９に示す例示的なフォーマットでは、繰り返しＨＥ−ＳＩＧ１フィールドは、ダブルガードインターバル（ＤＧＩ）によって先行され得る。そのようなダブルガードインターバルの使用は、結果として、Ｌ−ＳＩＧ後の第１のシンボルに関するＱ−ＢＰＳＫ検査のランダムな結果をもたらし得る。したがって、Ｌ−ＳＩＧが６Ｍｂｐｓのレートをシグナリングする場合、一部のレガシーデバイスはこのパケットに譲歩しない可能性がある。したがって、そのようなパケット内のＬ−ＳＩＧは、すべてのＩＥＥＥ８０２．１１ａ／ａｃ／ｎデバイスがそのパケットに譲歩することを確実にするために、６Ｍｂｐｓ以外のレートをシグナリングする必要があり得る。たとえば、Ｌ−ＳＩＧは９Ｍｂｐｓのレートをシグナリングすることができる。上で論じた技法と同様の技法は、パケットがＨＥパケットであることをシグナリングするために使用され得、パケットが遅延拡散保護を含むかどうかをシグナリングするために使用され得る。
【０１０４】
[00139]図１７〜図１９に示すプリアンブルフォーマットなど、プリアンブルフォーマットに関して様々な最適化が提供され得る。たとえば、図１８および図１９に示す例示的なフォーマットの場合、オーバーヘッドを節約するために、第２のＨＥ−ＳＩＧ１シンボルを切り捨てて、次のシンボルを早期に開始することが可能であり得る。加えて、ＨＥ−ＬＴＦの後に、ＭＵ−ＭＩＭＯ用にユーザごとのビットを提供し得るＳＩＧ−Ｂを有することに何らかの利益が存在し得る。
【０１０５】
[00140]図２０は、ＨＥ−ＳＩＧ−１フィールドに関する例示的なビット割振りを示す。示すように、ＢＷインジケーション用の２〜３ビット、８ビットの長さインジケーション、より長いシンボルが使用されることを示すための１ビット、２〜３の予約済みビット、ＣＲＣ用の４ビット、および６のテールビットが存在し得る。Ｌｏｎｇｅｒ  Ｓｙｍｂｏｌｓ  ＯＮビットがＨＥ−ＳＩＧ１内に提供される場合、これは、ＨＥ−ＳＩＧ２が遅延拡散保護を有すること、またはＨＥ−ＳＩＧ２の後のすべてが増大したＦＦＴサイズを使用すること、のいずれかをシグナリングするために使用され得る。ＨＥ−ＳＩＧがＨＥ−ＳＩＧ１およびＨＥ−ＳＩＧ２で構成された上記のＨＥ−ＳＩＧフォーマットは、遅延拡散保護を可能にし得、ＯＦＤＭＡパケットなど、多元アクセスを可能にするパケット内で使用され得る。
【０１０６】
[00141]（レガシープリアンブルを有するアップリンクパケット）  
[00142]図２１は、後方互換性多元接続ワイヤレス通信を可能にするために使用され得るアップリンク物理層パケット２１００の例示的な構造を示す。一般に、アップリンクメッセージにおいて、ＡＰの最初のダウンリンクメッセージによってＮＡＶが設定されるため、レガシープリアンブルは必要とされない場合がある。ＡＰの最初のダウンリンクメッセージは、ネットワーク上のレガシーデバイスにアップリンクパケットに譲歩させることが可能である。しかしながら、一部のワイヤレスデバイスは、ＡＰの範囲外であり得るが、ＡＰに送信しているＳＴＡの範囲内であり得る。したがって、これらのデバイスがレガシーデバイスである場合、これらのデバイスはＡＰの最初のダウンリンクメッセージを受信しなかったため、これらのデバイスはＡＰに譲歩しない場合がある。これらのデバイスはまた、図１２のアップリンクパケットのようなアップリンクパケットに譲歩しないが、これは、それらのパケットは、レガシーデバイスが認識し得るレガシープリアングルを有さないためである。したがって、そのようなデバイスの送信はアップリンクパケットに干渉する場合があり、したがって、レガシーデバイスにパケットに譲歩させるために十分なレガシープリアンブルを含むアップリンクパケットを送信することが望ましい場合がある。これらのアップリンクパケットはいくつかの可能な形をとり得る。アップリンクパケット２１００は、レガシープリアンブルを含む例示的なアップリンクパケットである。パケット２１００はパケットの各部分についての時間を含むが、これらの時間は単なる例であることに留意されたい。パケット２１００の各部分は、示すよりも長くてよく、または短くてもよい。いくつかの態様では、レガシーデバイスがそのプリアンブルのレガシー部分を復号して、パケット２１００に譲歩することを可能にするために、Ｌ−ＳＴＦ、Ｌ−ＬＴＦ、およびＬ−ＳＩＧなど、プリアンブルのレガシー部分はリストに記載された時間であることが有利であり得る。
【０１０７】
[00143]したがって、パケット２１００は、そのようなレガシーデバイスが認識し得るレガシープリアンブルを提供することによって、アップリンクパケットに譲歩するようにそのようなレガシーデバイスに知らせるために使用され得る。このレガシープリアンブルは、Ｌ−ＳＴＦと、Ｌ−ＬＴＦと、Ｌ−ＳＩＧとを含み得る。パケット８３０におけるように、送信デバイスの各々は、その割り当てられた帯域幅上でその独自のプリアンブルを送信するように構成され得る。これらのレガシープリアンブルは、ＡＰの最初のダウンリンクメッセージを聴取しなかったノードからアップリンク通信を保護することができる。
【０１０８】
[00144]パケット８３０におけるように、いくつかのデバイス、ここではＮ個のデバイスの各々は、その割り当てられた帯域幅内で同時に送信することができる。レガシープリアンブルに続いて、各デバイスはその割り当てられたトーン上で高効率プリアンブルを送信することができる。たとえば、各デバイスはその独自の割り当てられたトーン上でＨＥ−ＳＩＧを送信することができる。このＨＥ−ＳＩＧに続いて、各デバイスは、次いで、ＨＥ−ＳＴＦを送信することができ、１つまたは複数のＨＥ−ＬＴＦを送信することができる。たとえば、各デバイスは、単一のＨＥ−ＳＴＦを送信することができるが、そのデバイスに割り当てられた空間ストリームの数に対応する、いくつかのＨＥ−ＬＴＦを送信することができる。いくつかの態様では、各デバイスは、最大数の空間ストリームを有するデバイスに割り当てられた空間ストリームの数に対応する、いくつかのＨＥ−ＬＴＦを送信することができる。空間ストリームのこの割当ては、たとえば、ＡＰの最初のダウンリンクメッセージ内で行われ得る。各デバイスが同じ数のＨＥ−ＬＴＦを送る場合、これはピーク対平均電力比（ＰＡＰＲ）を低減し得る。ＰＡＰＲのそのような低減は望ましい場合がある。さらに、各デバイスが同じ数のＨＥ−ＬＴＦを送信する場合、これは、ＡＰが受信されたパケットを処理するのをより容易にし得る。たとえば、異なる数のＨＥ−ＬＴＦが各デバイスによって送られる場合、ＡＰは、あるデバイスに関するプリアンブルを受信すると同時に、別のデバイスからデータを受信することができる。これは、ＡＰがパケットを復号するのをより複雑にする可能性がある。したがって、各デバイスに関して同じ数のＨＥ−ＬＴＦを使用することが好ましい場合がある。たとえば、送信デバイスの各々は、任意のデバイスが受信している空間ストリームの最大数を決定して、その数に対応する、いくつかのＨＥ−ＬＴＦを送信するように構成され得る。
【０１０９】
[00145]いくつかの態様では、そのようなパケット内のＬ−ＳＴＦは、最高でおよそ２００ｎｓ程度の小さなサイクリックシフトを含み得る。大きなサイクリックシフトは、相互相関に基づく検出アルゴリズムを使用する場合があるレガシーデバイスの場合、そのようなＬ−ＳＴＦ内に問題を生じさせる場合がある。そのようなパケット２１００内のＨＥ−ＳＴＦは、およそ８００ｎｓ程度のより大きなサイクリックシフトを含み得る。これは、アップリンクパケット２１００を受信しているＡＰ内でより精確な利得設定を可能にし得る。
【０１１０】
[00146]図２２は、後方互換性多元接続ワイヤレス通信を可能にするために使用され得るアップリンク物理層パケット２２００の別の例示的な構造を示す。このパケット２２００はパケット２１００と同様であり得るが、このパケット２２００内で、送信デバイスの各々はＨＥ−ＳＴＦを送信することができない。代わりに、送信デバイスの各々は、およそ８００ｎｓ程度など、より大きなサイクリックシフトでＬ−ＳＴＦを送信することができる。これは相互相関パケット検出の場合にレガシーデバイスに影響を及ぼし得るが、これは送信デバイスがＨＥ−ＳＴＦを送信しないことを可能にし得るため、これはパケットがより短くなるのを可能にし得る。パケット２２００はパケットの各部分に関する時間を含むが、これらの時間は単なる例であり、パケットの各部分は示すよりも長くてよく、または短くてもよい。いくつかの態様では、レガシーデバイスがそのプリアンブルのレガシー部分を復号して、パケット２２００に譲歩することを可能にするために、Ｌ−ＳＴＦ、Ｌ−ＬＴＦ、およびＬ−ＳＩＧなど、プリアンブルのレガシー部分はリストに記載された時間であることが有利であり得る。
【０１１１】
[00147]パケット２２００内で、各デバイスは、そのデバイスに割り当てられた空間ストリームの数に対応する、いくつかのＨＥ−ＬＴＦを送信することができる。いくつかの態様では、各デバイスは、代わりに、最大数の空間ストリームが割り当てられたデバイスに割り当てられた空間ストリームの数に対応する、いくつかのＨＥ−ＬＴＦを送信することができる。上で論じたように、そのような手法はＰＡＰＲを低減し得る。
【０１１２】
[00148]いくつかの態様では、より長いシンボル持続時間は、遅延拡散保護およびタイミングオフセットからの保護を提供し得る。たとえば、アップリンクパケットを送信するデバイスは、同時にパケットの送信を開始せず、代わりに、若干異なる時間に開始することができる。より長いシンボル持続時間はまた、ＡＰがそのような場合にパケットを解釈する際に支援し得る。いくつかの態様では、デバイスは、ＡＰのダウンリンクトリガメッセージ内の信号に基づいて、より長いシンボル持続時間で送信するように構成され得る。いくつかの態様では、パケット８３０など、グリーンフィールドパケットの場合、レガシー互換性の必要は存在しないため、波形全体がより長いシンボル持続時間で送信され得る。パケット２１００または２２００など、レガシープリアンブルを含むアップリンクパケット内で、レガシープリアンブルは従来のシンボル持続時間で送信され得る。いくつかの態様では、レガシープリアンブルの後の部分は、より長いシンボル時間期間で送信され得る。いくつかの態様では、より長いシンボル持続時間は、より小さな帯域内で既存のＩＥＥＥ８０２．１１トーンプラン（tone plan）を使用することによって達成され得る。たとえば、ダウンクロッキング（down-clocking）と呼ばれる場合がある、より小さなサブキャリア間隔が使用され得る。たとえば、帯域幅の５ＭＨｚ部分は、６４ビットのＦＦＴ８０２．１１ａ／ｎ／ａｃトーンプランを使用することができ、一方、２０ＭＨｚは通常に使用され得る。したがって、各トーンは、そのような構成では、典型的なＩＥＥＥ８０２．１１ａ／ｎ／ａｃパケット内よりも４×より長い場合がある。他の持続時間も使用され得る。たとえば、典型的なＩＥＥＥ８０２．１１ａ／ｎ／ａｃパケット内で２倍の長さのトーンを使用することが望ましい場合がある。
【０１１３】
[00149]図２３は、パケットを受信する例示的な方法２３００を示す。該方法は、ＡＰなどのワイヤレスデバイスによって行われ得る。
【０１１４】
[00150]ブロック２３０５で、ＡＰは帯域幅の第１のセクション内の第１の部分を受信する、第１の部分は、第１のワイヤレスデバイスによって送信され、第１の部分は、パケットに譲歩するようにレガシーデバイスに知らせるために十分な情報を含む第１のプリアンブルのレガシーセクションと第１のプリアンブルの高効率セクションとを備える。いくつかの態様では、受信するための手段は受信機であり得る。
【０１１５】
[00151]ブロック２３１０で、ＡＰは帯域幅の第２のセクション内の第２の部分を同時に受信する、第２の部分は、第２のワイヤレスデバイスによって送信される、第２の部分は、パケットに譲歩するようにレガシーデバイスに知らせるために十分な情報を含む第２のプリアンブルのレガシーセクションと第２のプリアンブルの第２の高効率セクションとを備える。いくつかの態様では、同時に受信するための手段は受信機であり得る。いくつかの態様では、第１のワイヤレスデバイスおよび／または第２のワイヤレスデバイスはいくつかの空間ストリーム上で送信することができる。いくつかの態様では、第１のワイヤレスデバイスおよび第２のワイヤレスデバイスによって送信されるプリアンブルの高効率部分はある数のロングトレーニングフィールドを含み得る。いくつかの対応では、ロングトレーニングフィールドの数は、特定のデバイスに割り当てられた空間ストリームの数、または任意のワイヤレスデバイスに割り当てられた空間ストリームの最高数に基づくことができる。
【０１１６】
[00152]いくつかの態様では、ＯＦＤＭＡパケットが、アップリンクマルチユーザ多入力多出力（ＭＵ−ＭＩＭＯ）パケットの構造をより密に模倣する構造を有することが望ましい場合がある。たとえば、図２１のパケット２１００など、いくつかの先行パケットは、１つまたは複数のＨＥ−ＬＴＦに先立ってＨＥ−ＳＩＧを含み得る。同様に、図１２のパケット８３０内で、送信デバイスの各々は、単一のＨＥ−ＬＴＦ、続いてＨＥ−ＳＩＧ、続いて残りの数のＨＥ−ＬＴＦを送信する。しかしながら、アップリンクＭＵ−ＭＩＭＯパケットにより類似した構造を備えたアップリンクパケットを有するために、ＨＥ−ＳＩＧが、パケット内ですべてのＨＥ−ＬＴＦの後に続くパケットを有することが望ましい場合がある。
【０１１７】
[00153]したがって、説明したパケットのいずれかにおいて、すべてのＨＥ−ＬＴＦに続いてＨＥ−ＳＩＧを送信することが可能であり得る。いくつかの態様では、ＨＥ−ＳＩＧがすべてのＨＥ−ＬＴＦに続くとき、アップリンクパケット内の各送信デバイスによって使用されている空間ストリームの数をシグナリングする別の方法を見出すことが望ましい場合がある。たとえば、前に説明したパケットのうちのいくつかにおいて、送信デバイスからの第１のＨＥ−ＬＴＦは、ＡＰがその送信デバイスからのＨＥ−ＳＩＧを復号することを可能にするために十分な情報を含み得る。前に説明したパケットのうちのいくつかにおいて、送信デバイスからのＨＥ−ＳＩＧは、パケット内のそのデバイスによって使用されている空間ストリームの数に関する情報を含み得、したがって、いくつかの態様では、ＨＥ−ＳＩＧは、その送信デバイスによって送信されることになるＨＥ−ＬＴＦの数を示すことができる。しかしながら、ＨＥ−ＳＩＧが各ＨＥ−ＬＴＦに続いて送信される場合、これとは異なる様式で、送信デバイスによって使用される空間ストリームの数を示すことが望ましい場合がある。たとえば、送信デバイスによって使用される空間ストリームの数は、ＡＰからのダウンリンクメッセージ内に示され得る。たとえば、アップリンクＯＦＤＭＡパケットは、どのデバイスがアップリンクＯＦＤＭＡパケット上で送信し得るかを示す、ＡＰからのダウンリンクパケットに応答して送られ得る。したがって、このダウンリンクパケットはいくつかの空間ストリームを各デバイスに割り当てることも可能である。
【０１１８】
[00154]図２４は、ＨＥ−ＳＩＧが各ＨＥ−ＬＴＦの後に送信される例示的なアップリンクパケット構造である。アップリンクＯＦＤＭＡパケット２４００内で、送信デバイスの各々は、上で説明した他のパケット内と同様に、ＨＥ−ＳＴＦ２４１０を送信することができる。ＨＥ−ＳＴＦ２４１０に続いて、送信デバイスの各々はいくつかのＨＥ−ＬＴＦ２４２０を送信することができる。送信デバイスの各々は、その送信デバイスによって使用されている空間ストリームの数に対応する、いくつかのＨＥ−ＬＴＦ２４２０を送信することができる。たとえば、送信デバイスが２つの空間ストリームを使用している場合、そのデバイスは２つのＨＥ−ＬＴＦ２４２０を送信することができる。そのＨＥ−ＬＴＦ２４２０のすべてを送信することに続いて、各送信デバイスは、次いで、ＨＥ−ＳＩＧ２４３０を送信する。このＨＥ−ＳＩＧ２４３０は、上で説明したのと同様の情報を含み得る。
【０１１９】
[00155]示すように、パケット２４００において、各送信デバイスは、そのデバイスによって使用されている空間ストリームの数に対応する、いくつかのＨＥ−ＬＴＦ２４２０を送信する。上で論じたように、いくつかの他の態様では、デバイスによって使用されている空間ストリームの数は、そのデバイスによって送られるＨＥ−ＳＩＧ内に示され得る。しかしながら、このインジケーションは、ＡＰが、送信デバイスが送信し得るＨＥ−ＬＴＦ２４２０の数を予測するにはあまりにも遅く到着する可能性があるため、パケット２４００内で、空間ストリームの数はＨＥ−ＳＩＧ２４３０内に含まれない場合がある。したがって、ＡＰが所与のイベントから空間ストリームの数を決定する他の方法が使用され得る。たとえば、アップリンクＯＦＤＭＡパケット２４００をトリガするメッセージなど、ＡＰからのダウンリンクメッセージは、いくつかの空間ストリームを各送信デバイスに割り当てることができる。各送信デバイスがいくつの空間ストリームを使用することができるかに関する情報を含む、ＡＰからの例示的なダウンリンクメッセージを図２６に示す。いくつかの態様では、各送信デバイスによって使用される空間ストリームの数は他の方法でも同様に決定され得る。たとえば、各送信デバイスに対する空間ストリームの数は、ビーコン内など、周期的なダウンリンクメッセージ内で伝達され得る。いくつかの態様では、ＡＰは、受信されたパケット２４００に基づいて、空間ストリームの数を決定するように構成され得る。たとえば、ＡＰは、着信パケット２４００を解析して、ＨＥ−ＬＴＦ２４２０の終点およびＨＥ−ＳＩＧ２４３０の始点を検出することによってなど、いくつの空間ストリームが送信され得るかの事前知識なしに、各送信デバイスによって送信されているＨＥ−ＬＴＦ２４２０の数を決定するように構成され得る。ＡＰが空間ストリームの数、したがって、パケット２４００内で各デバイスによって送信されているＨＥ−ＬＴＦ２４２０の数を決定するのを可能にするために他の方法が使用されてもよい。各送信デバイスからのＨＥ−ＳＩＧ２４３０に続いて、そのデバイスは、そのデバイスがパケット２４００内で送信することを望むデータ２４４０を送信することができる。いくつかの態様では、各デバイスは、パケット２４００内で同じ数のＨＥ−ＬＴＦ２４２０を送信することができる。たとえば、各送信デバイスは、最大数の空間ストリームが割り当てられたデバイスに割り当てられた空間ストリームの数に対応する、いくつかのＨＥ−ＬＴＦ２４２０を送信することができる。
【０１２０】
[00156]図２５は、ＨＥ−ＳＩＧが各ＨＥ−ＬＴＦの後に送信される別の例示的なアップリンクパケット構造である。パケット２５００は、各送信デバイスが、パケットの高効率部分を送信するのに先立って、レガシープリアンブルを送信する混合モードパケットに対応し得る。パケット２５００内で、各デバイスは、最初に、Ｌ−ＳＴＦ２５０２と、Ｌ−ＬＴＦ２５０４と、Ｌ−ＳＩＧ２５０６とを含むレガシープリアンブルを送信する。パケット２５００のこれらの部分は、上で説明したように送信され得る。
【０１２１】
[00157]レガシープリアンブルの後、パケット２５００はパケット２４００と同様である。送信デバイスの各々は、ＨＥ−ＳＴＦ２５１０、続いていくつかのＨＥ−ＬＴＦ２５２０、続いてＨＥ−ＳＩＧ２５３０、続いて、送信デバイスがＡＰに送信することを望むデータ２５４０を送信することができる。パケットのこれらの部分の各々は、上で開示した方法と同様の方法で送信され得る。各デバイスによって送信されるＨＥ−ＬＴＦ２５２０の数は、その上で各デバイスが送信する空間ストリームの数に少なくとも一部基づくことができる。たとえば、２つの空間ストリーム上で送信しているデバイスは２つのＨＥ−ＬＴＦ２５２０を送信することができる。
【０１２２】
[00158]いくつかの態様では、パケット２５００内の各デバイスは、同数のＨＥ−ＬＴＦ２５２０を送信することができる。たとえば、送信デバイスの各々は、送信デバイスのうちのいずれかによって送信されている最大数の空間ストリームの数に対応する、いくつかのＨＥ−ＬＴＦ２５２０を送信することができる。したがって、パケット２５００内で、送信デバイスの各々は、そのパケット内でいくつのＨＥ−ＬＴＦ２５２０を送信するかの知識を有さなければならない。前述のように、送信機の各々に同数のＨＥ−ＬＴＦ２５２０を送信させることはパケットのＰＡＰＲを低減し得るため、これは有利であり得る。ＰＡＰＲのそのような低減は、上で説明したように、結果として、パケット２５００を受信するＡＰにとって利益をもたらし得る。パケット２５００内で各送信デバイスが同数のＨＥ−ＬＴＦ２５２０を送信する場合、これらのデバイスの各々はいくつのＨＥ−ＬＴＦ２５２０を送信するかを認識しているはずである。これはいくつかの方法で達成され得る。たとえば、ＡＰはダウンリンクトリガメッセージを送信デバイスに送ることができる。このトリガメッセージは、どのデバイスがアップリンクパケット内で送信することができるか、各デバイスに割り当てられた帯域幅、および各デバイスに割り当てられた空間ストリームの数などの情報を含み得る。このトリガメッセージは、いくつのＨＥ−ＬＴＦ２５２０をアップリンクパケット２５００内に含めるかを送信デバイスに示すことも可能である。たとえば、ダウンリンクメッセージは、各デバイスがいくつの空間ストリームを使用し得るかを送信デバイスに示すことができる。各送信デバイスがいくつの空間ストリームを使用し得るかに関する情報を含む、ＡＰからの例示的なダウンリンクトリガメッセージを図２６に示す。同様に、各デバイスに割り当てられた空間ストリームの数は一定であってよい。たとえば、各デバイスが２つの空間ストリームだけを使用し得るネットワークが構築され得る。同様に、各デバイスに割り当てられる空間ストリームの数は、ＡＰから周期的に送信されるビーコンメッセージ内など、メッセージ内で伝達され得る。したがって、送信デバイスは、最も多くの空間ストリームが割り当てられたデバイスに割り当てられた空間ストリームの数に対応する、いくつかのＨＥ−ＬＴＦ２５２０を送信することができる。いくつかの態様では、各送信デバイスによって送信されるＨＥ−ＬＴＦ２５２０の数を調整するために他の方法が使用されてもよい。
【０１２３】
[00159]各送信デバイスがいくつの空間ストリームを使用し得るかに関する情報を含む、ＡＰからの例示的なダウンリンクメッセージ２６００を図２６に示す。このメッセージ２６００は、トリガメッセージ情報２６０５を含み得る。たとえば、この情報２６０５は、アップリンクメッセージがいつ送られ得るかに関するタイミング情報を含み得る。この情報２６０５は、送信デバイスがトリガメッセージの受信を確認すべきかどうかに関する情報をさらに含み得る。この情報２６０５に続いて、ダウンリンクメッセージ２６００は、デバイス１の識別２６１０を含み得る。この識別２６１０は、たとえば、デバイス１に割り当てられ、デバイス１を識別する一意の番号または値であり得る。ダウンリンクメッセージ２６００はまた、デバイス１に割り当てられたいくつかのストリーム２６１５を含み得る。たとえば、デバイス１には２つの空間ストリームが割り当てられ得る。ダウンリンクメッセージはまた、デバイス２の識別２６２０と、デバイス２に関するいくつかの空間ストリーム２６２５と、デバイス３の識別２６３０と、デバイス３に関するいくつかの空間ストリーム２６３５とを含み得る。いくつかの態様では、他の数のデバイスもダウンリンクメッセージ２６００内で識別され得る。たとえば、２つ、３つ、４つ、５つ、６つ、またはそれより多いデバイスがダウンリンクメッセージ２６００内で識別され得る。このダウンリンクメッセージ２６００は単なる例であることに留意されたい。他の情報もダウンリンクトリガメッセージ内に含まれることが可能であり、ダウンリンクメッセージ２６００内に示したのとは異なる順序または数で含まれ得る。
【０１２４】
[00160]いくつかの態様では、アップリンクＯＦＤＭＡパケット内で送信されるＬＴＦをＵＬ  ＭＵ−ＭＩＭＯパケット内で送信されるＬＴＦと調和（harmonize）させることが有利であり得る。たとえば、ＵＬ  ＭＵ−ＭＩＭＯパケット内で、各送信デバイスはすべてのトーンにわたってメッセージを送信することができる。したがって、ＵＬ  ＭＵ−ＭＩＭＯパケット内のＬＴＦは、ＡＰなど、受信ＳＴＡが各トーン上で各送信ＳＴＡからの送信を認識することを可能にするために十分な情報を含む必要があり得る。そのようなＬＴＦフォーマットは、ＵＬ  ＭＵ−ＭＩＭＯパケット内とＵＬ  ＯＦＤＭＡパケット内の両方で使用され得る。
【０１２５】
[00161]たとえば、ＵＬ  ＭＵ−ＭＩＭＯパケットまたはＵＬ  ＯＦＤＭＡパケットのいずれかにおいて、ＬＴＦに関して使用され得る１つのフォーマットは、Ｐ行列ベースのＬＴＦを送信するためである。この手法では、ＬＴＦは、各トーン上で送信ＳＴＡの各々によって送信され得る。各デバイスからのＬＴＦは、それらが互いに対して直交になるような方法で送信され得る。送信されるＬＴＦの数は、すべてのデバイスに割り当てられた空間ストリームの数に対応し得る。たとえば、２つのデバイスが、各々、１つのストリーム上で送信する場合、２つのＬＴＦが送られ得る。いくつかの態様では、第１のＬＴＦ内で、所与のトーンにおける値はＨ１＋Ｈ２に等しくてよく、この場合、Ｈ１は第１のデバイスからの信号であり、Ｈ２は第２のデバイスからの信号である。次のＬＴＦで、所与のトーンにおける値はＨ１−Ｈ２に等しくてよい。したがって、この直交性により、受信デバイスは各トーン上の２つの送信デバイスの各々の送信を識別することが可能であり得る。ＬＴＦに関するそのようなフォーマットは、たとえば、前のＩＥＥＥ８０２．１１フォーマット内で使用されてきた。しかしながら、Ｐ行列ベースのＬＴＦに関する１つの潜在的な問題は、２つ以上の送信デバイスが互いに対して高い周波数オフセットを有する場合、それらのＬＴＦは効果的でない可能性があることである。その環境で、ＬＴＦの直交性は失われる可能性があり、したがって、受信デバイスがパケットを適切に復号する能力は損なわれる可能性がある。したがって、いくつかの態様では、ＵＬ  ＭＵ−ＭＩＭＯパケットおよびＵＬ  ＯＦＤＭＡパケットに関して異なるＬＴＦフォーマットを使用することが望ましい場合がある。
【０１２６】
[00162]ＵＬ  ＭＵ−ＭＩＭＯパケットおよびＵＬ  ＯＦＤＭＡパケットに関する別の考えられる異なるＬＴＦは、トーンインターリーブＬＴＦまたはサブバンドインターリーブＬＴＦを使用することである。前述のように、送信されるＬＴＦの数は、すべての送信デバイスによって送られる空間ストリームの総数に対応し得る。そのようなＬＴＦフォーマットは、アップリンクパケットを送信する様々なデバイス間に大きな周波数オフセットが存在するとき特に有用であり得る。これらのＬＴＦフォーマットは、ＵＬ  ＭＵ−ＭＩＭＯパケット内で使用され得る。ＵＬ  ＯＦＤＭＡパケットをＵＬ  ＭＵ−ＭＩＭＯパケットと調和するために、これらのＬＴＦフォーマットはＵＬ  ＯＦＤＭＡパケット内でも使用され得る。
【０１２７】
[00163]図２７は、ＵＬ  ＯＦＤＭＡパケット内で使用され得るトーンインターリーブＬＴＦの図２７００である。たとえば、これらのＬＴＦは前に説明したＵＬ  ＯＦＤＭＡパケットのうちのいずれかにおいて使用され得る。たとえば、このパケット内に４つの空間ストリームが存在する。これらの空間ストリームは、たとえば、空間ストリーム１〜４など、番号付けされ得る。各空間ストリームは、別個のデバイスによって送信され得るか、または１つのデバイスが空間ストリームのうちの２つ以上を送信し得る。したがって、４つの空間ストリームは、２つ、３つ、または４つのデバイスによって送信されているＵＬ  ＯＦＤＭＡパケットに対応し得る。４つの空間ストリームが存在するため、ＬＴＦ１  ２７０５、ＬＴＦ２  ２７１０、ＬＴＦ３  ２７１５、およびＬＴＦ４  ２７２０とラベル付けされた４つのＬＴＦが送られ得る。各ＬＴＦは、ここでは１から８の番号付けされた、いくつかのトーンを含み得る。ＵＬ  ＯＦＤＭＡパケットのデータ部分内に含まれたトーンの数に対応する任意の数のトーンがＬＴＦ内に含まれ得る。このトーンインターリーブＬＴＦ内で、ＬＴＦ１  ２７０５の間、第１のストリームはトーン１、５、９などの上で送信することができる。いくつかの態様では、これらのトーン間の間隔（すなわち、１と５の間隔）は空間ストリームの数に基づく。たとえば、図２７００において、４つの空間ストリームが存在し、したがって、各ストリームがその上で送信するトーン間の間隔も４である。ＬＴＦ１  ２７０５の間、第２のストリームはトーン２、６、１０などの上で送信することができるのに対して、第３の空間ストリームは、３、７、１１などの上で送信することができ、第４の空間ストリームはトーン４、８、１２などの上で送信することができる。次のＬＴＦ、すなわち、ＬＴＦ２  ２７１０内で、各空間ストリームは、前のＬＴＦよりも１つ高いトーンであるトーン上で送信することができる。たとえば、ＬＴＦ１  ２７０５内で、ストリーム１はトーン１および５の上で送信されるのに対して、ＬＴＦ２  ２７１０内で、ストリーム１はトーン２および５の上で送信する。したがって、空間ストリームの数に等しい、いくつかのＬＴＦの後、各空間ストリームは各トーン上で送信した可能性がある。このトーンインターリーブＬＴＦを使用すると、空間ストリームは同時に同じ周波数で送信しないため、オフセットにより、クロスストリーム漏洩（cross-stream leakage）は問題にならない可能性がある。たとえば、オフセットは数ｋＨｚであり得る。いくつかの態様では、ストリームごとの周波数オフセットを推定するために、最後のＬＴＦの後でＬＴＦ１  ２７２５を再度繰り返すことが有利であり得る。たとえば、ＬＴＦ１  ２７０５はＬＴＦ１  ２７２５と同一であり得る。しかしながら、これらの２つのＬＴＦは比較され得る。
【０１２８】
[00164]図２８は、ＵＬ  ＯＦＤＭＡパケット内で使用され得るサブバンドインターリーブＬＴＦを示す図２８００である。たとえば、これらのＬＴＦは前に説明したＵＬ  ＯＦＤＭＡパケットのうちのいずれかにおいて使用され得る。ＵＬ  ＯＦＤＭＡパケットは、いくつかの空間ストリームを含み得、いくつかのトーン上で送信され得る。たとえば、図２８００は４つの空間ストリームを含む。４つの空間ストリームが存在するため、１からＮSCのトーンが４つのサブバンドに分割され、この場合、ＮSCはガードトーンおよびＤＣトーンを除いたサブキャリアの総数である。たとえば、６４のトーンが存在する場合、トーン１〜１６はサブバンド１であり得、トーン１７〜３２はサブバンド２であり得、トーン３３〜４８はサブバンド３であり得、トーン４９〜６４はサブバンド４であり得る。いくつかの態様では、各サブバンド内のトーンの数は等しくてよいか、またはおよそ等しくてよい。４つのＬＴＦの各々において、４つの空間ストリームの各々はその割り当てられたサブバンドのトーン上で送信することができる。たとえば、ＬＴＦ１  ２８０５内で、サブバンド１は空間ストリーム１に割り当てられてよく、サブバンド２は空間ストリーム２に割り当てられてよい、等々である。後続のＬＴＦ２  ２８１０内で、サブバンドの各々は空間ストリームの異なる１つの空間ストリームに割り当てられ得る。したがって、４つのＬＴＦの後、４つの空間ストリームの各々は４つのサブバンドの各々の上で一度は送信した可能性がある。
【０１２９】
[00165]図２７００および図２８００に示すＬＴＦ構造はいくつかの利点を有し得る。たとえば、アップリンククライアント間に大きな周波数オフセットが存在するとき、この構造はより良好な性能を提供し得る。さらに、これらのＬＴＦ構造は、ＡＰがトーンの各々の上で空間ストリームの各々内で送信を受信することを可能にすることになる。これは、たとえば、そのような切替えが所望される場合、空間ストリームがあるトーンからある他のトーンに切り替えることを可能にし得る。さらに、これは、ＡＰが各トーン上の所与のデバイスの所与の空間ストリームの信号強度を決定することを可能にし得る。これは、ＡＰが、将来のパケット内で、そのデバイスがどのトーンに最良の信号を有するかに基づいて、トーンをデバイスに割り当てることを可能にすることになる。たとえば、ＡＰがトーンを様々なデバイスに割り当てる場合、ＡＰは、あるデバイスが、他のトーンに対して、いくつかのトーンに関してより低い信号対雑音比およびより強力な信号を有することを観測することができる。したがって、ＡＰは、将来のパケット内で、そのデバイスにそれらのより強力なトーンを割り当てることができる。図２９は、ＵＬ  ＯＦＤＭＡパケット内で送信され得るパケットの例示的なＬＴＦ部分２９００を示す。たとえば、上で説明したように、あるＵＬ  ＯＦＤＭＡパケット内で、パケットのＳＩＧ部分内にトーンを割り振るのではなく、トーンは他の場所に割り振られ得る。たとえば、上で説明したように、あるＵＬ  ＯＦＤＭＡパケットはトーンをシグナリングメッセージ内でＡＰから送信デバイスに割り振ることができ、その送信デバイスはあるトーンをあるデバイスに割り振ることができる。したがって、前のＵＬパケット内で、ＳＩＧはＭＣＳと、コードビットと、トーン割振り情報とを含み得るが、いくつかの態様では、トーン割振り情報はＳＩＧフィールド内に含まれなくてよい。したがって、ＳＩＧフィールドは、ともに６〜７ビットの情報を備えるＭＣＳおよびコードビットと、６ビットであり得るバイナリ重畳コーディング（BCC: binary convolutional coding）とだけを含み得る。したがって、６〜７ビットの情報だけを含むＳＩＧフィードを送信することがオーバーヘッドとして６ビットのＣＲＣ情報も含むとき、そのようなＳＩＧフィールドを送信することは非効率的であり得る。さらに、この場合、そのようなＣＲＣ情報を含めることが十分な利益を有するかどうかはまったく明らかでない。したがって、ＭＣＳ情報２９１０とコーディングビット２９１５とを含む、パケットのＬＴＦ部分２９００を送ることが望ましい可能性がある。パケットのＬＴＦ部分の中にこの情報を含めることによって、パケットはＳＩＧフィールドを含める必要はまったくない可能性がある。
【０１３０】
[00166]この情報は、いくつかの方法で、パケットのＬＴＦ部分２９００内に含まれ得る。たとえば、非コヒーレント復調を使用することができるシグナリング機構が使用され得る。いくつかの態様では、ＭＣＳ情報２９１０およびコーディングビット２９１５は、ＬＴＦのトーンのうちのいくつかまたはすべてにわたって低強度コード内に含まれ得る。いくつかの態様では、ＭＣＳ情報２９１０およびコードビット２９１５は、ＬＴＦ１  ２８２５または別のＬＴＦなど、単一のＬＴＦ内で送信され得る。いくつかの態様では、ＭＣＳ情報２９１０およびコーディングビット２９１５は、複数のＬＴＦの各々にわたって分割され得る。たとえば、１つまたは複数のビットのＭＣＳ情報２９１０およびコーディングビット２９１５はＬＴＦのうちの２つ以上に含まれ得る。したがって、いくつかの態様では、明示的ＳＩＧフィールドはパケットのＬＴＦ内に含まれ得るため、この情報がＵＬ  ＯＦＤＭＡパケット内に必要とされる場合がある。
【０１３１】
[00167]一般に、そのパケットに関するＬＴＦの各々が送信された後、ＵＬ  ＭＵ−ＭＩＭＯパケット内にユーザごとのＳＩＧフィールドが含まれ得る。たとえば、このフォーマットはパケット２４００のフォーマットと同様であり得る。しかしながら、ＵＬ  ＯＦＤＭＡパケット内に、パケット２１００内に示したように、パケットのＳＴＦまたはＬＴＦに先立ってＨＥ−ＳＩＧが含まれ得る。いくつかの態様では、ＵＬ  ＭＵ−ＭＩＭＯパケットをＵＬ  ＯＦＤＭＡパケットと調和させるために、両方のロケーションにＳＩＧフィールドを有するパケットを送信することが望ましい場合がある。たとえば、ＨＥ−ＳＴＦに先立つ共通ＳＩＧフィールドを含み、すべてのＨＥ−ＬＴＦの後のユーザごとのＳＩＧフィールドをやはり含むパケットが送信され得る。
【０１３２】
[00168]図３０は、ＨＥ−ＳＴＦに先立つ共通ＳＩＧフィールド、およびすべてのＨＥ−ＬＴＦ後のユーザごとのＳＩＧフィールドを有するパケット３０００を示す。パケット３０００では、パケットが、レガシーショートトレーニングフィールド３００５と、レガシーロングトレーニングフィールド３０１０と、レガシーＳＩＧフィールド３０１５とを含む、レガシープリアンブルを含む様子が示されている。しかしながら、このパケットはそのようなレガシープリアンブルなしで送信されることも可能である。レガシープリアンブルに続いて、そのようなプリアンブルが含まれる場合、パケット３０００は共通ＳＩＧ３０２０を含む。いくつかの態様では、この共通ＳＩＧ３０２０は、前のＵＬ  ＯＦＤＭＡパケット内のそのようなＳＩＧフィールド内に含まれた情報と同様の情報を含み得る。たとえば、共通ＳＩＧはＯＦＤＭＡパケット内に含まれた空間ストリームの数を搬送し得る。たとえば、ＵＬ  ＯＦＤＭＡパケット内の各送信デバイスは、共通ＳＩＧ３０２０のトーンの一部をポピュレートし得る。共通ＳＩＧ３０２０に続いて、ＨＥ−ＳＴＦ３０２５およびＨＥ−ＬＴＦ３０３０が送信される。これらのフィールドは、上記の開示に従って送信され得る。たとえば、ＨＥ−ＬＴＦ３０３０は、図２７および図２８に示したＬＦＴフォーマットに基づくことができる。任意の数のＨＥ−ＬＴＦ３０３０が送信され得る。たとえば、送信され得るＨＥ−ＬＴＦ３０３の数は、パケット３０００の一部である空間ストリームの数の和に少なくとも一部基づくことができる。ＨＥ−ＬＴＦ３０３に続いて、第２のＳＩＧフィールドが送信され得る。このユーザごとのＳＩＧ３０３５は、ＵＬ  ＯＦＤＭＡパケットを送信するデバイスの各々によって送信され得る。ユーザごとのＳＩＧフィールド３０３５のフォーマットは、ＵＬ  ＭＵ−ＭＩＭＯパケット内のＳＩＧフィールドのフォーマットに基づくことができる。ユーザごとのＳＩＧフィールド３０３５に続いて、データ３０４０が送信され得る。したがって、パケット３０００は、他のＵＬ  ＯＦＤＭＡパケットの場合のように、共通ＳＩＧ３０２０と、他のＵＬ  ＭＵ−ＭＩＭＯパケットの場合のように、ユーザごとのＳＩＧフィールド３０３５の両方を含み得る。両方のＳＩＧフィールドがパケット３０００内に含まれるため、このパケットフォーマットは、ＵＬ  ＯＦＤＭＡとＵＬ  ＭＵ−ＭＩＭＯの両方で再使用され得る。
【０１３３】
[00169]図３１は、単一の送信で１つまたは複数のデバイスに送信する例示的な方法３１００を示す。該方法は、ＡＰなどのワイヤレスデバイスによって行われ得る。
【０１３４】
[00170]ブロック３１０５で、ＡＰは、第１のフォーマットに従ってプリアンブルの第１のセクションを送信し、プリアンブルの第１のセクションは、送信に譲歩するように、第１のフォーマットと互換性があるデバイスに知らせるために十分な情報を含む。たとえば、第１のフォーマットは、既存のＩＥＥＥ８０２．１１規格のうちの１つまたは複数によって定義されるフォーマットなど、先在するフォーマットであり得る。いくつかの態様では、第１のフォーマットはレガシーフォーマットと呼ばれる場合がある。いくつかの態様では、プリアンブルの第１のセクションは、プリアンブルの別のセクションがそれらのデバイスに送信されることを、第２の能力セットを有する、および／または第２のフォーマットと互換性があるデバイスに警告するために十分な情報を含み得る。いくつかの態様では、第１のセクションを送信するための手段は送信機を含み得る。
【０１３５】
[00171]ブロック３１１０で、ＡＰは、第２のフォーマットに従ってプリアンブルの第２のセクションを送信し、プリアンブルの第２のセクションは、トーン割振り情報を含み、トーン割振り情報は２つ以上のワイヤレス通信デバイスを識別する。たとえば、プリアンブルの第２のセクションは高効率プリアンブルを備え得、第２のフォーマットは、第１のフォーマットよりも新しいＩＥＥＥ８０２．１１フォーマットを含み得る。いくつかの態様では、ＡＰの第２のセクションは２以上のワイヤレス通信デバイスを識別することができ、それらのデバイスの各々に送信の帯域幅の１つまたは複数のサブバンドを割り当てることができる。いくつかの態様では、第２のセクションを送信するための手段は送信機を含み得る。
【０１３６】
[00172]ブロック３１１５で、ＡＰは、データを２以上のワイヤレス通信デバイスに同時に送信し、データは２以上のサブバンド上に含まれる。いくつかの態様では、サブバンドの各々は、送信の帯域幅の別個の異なるオーバーラップしない部分の上で送信され得る。たとえば、各サブバンドは、送信の帯域幅のある部分に対応し得、各ワイヤレス通信デバイスは、サブバンドのうちの１つまたは複数の上でデータを受信するために割り当てられ得る。したがって、ＡＰは、異なるデータを送信の帯域の異なるサブバンド内で２以上の異なるワイヤレス通信デバイスに同時に送信することができる。いくつかの態様では、データを送信するための手段は送信機を含み得る。
【０１３７】
[00173]図３２は、第１の能力セットを有する１つまたは複数の第１のデバイスに送信して、第２の能力セットを有する１つまたは複数の第２のデバイスに同時に送信する例示的な方法３２００を示す。該方法は、ＡＰなどのワイヤレスデバイスによって行われ得る。
【０１３８】
[00174]ブロック３２０５で、ＡＰは帯域幅の第１の部分内で１つまたは複数の第１のデバイスに送信し、１つまたは複数の第１のデバイスは第１の能力セットを有する。いくつかの態様では、この送信は、プライマリチャネル上で発生し得、所与の帯域の１つまたは複数の二次チャネル上でも発生し得る。いくつかの態様では、第１の能力セットを有するデバイスは、あるＩＥＥＥ８０２．１１規格と互換性があるデバイスを含み得る。
【０１３９】
[00175]ブロック３２１０で、ＡＰは、帯域幅の第２の部分内で１つまたは複数の第２のデバイスに同時に送信し、１つまたは複数の第２のデバイスは第２の能力セットを有し、ここにおいて、送信は、第２の能力セットを有するデバイスが、第２の能力セットを有するデバイスに関する送信パラメータのセットを含むシンボルに関する帯域幅内の周波数帯域を位置特定するためのインジケーションを含むプリアンブルを備え、この場合、インジケーションは、第１の能力セットを有するデバイスのプリアンブル復号に実質的な影響を有さないように送られる。たとえば、このインジケーションは、プリアンブルの一部の虚軸上にある１ビットコードであり得る。このインジケーションは、それが第１の能力セットを有するデバイスによるプリアンブルの受信に干渉しないように、低電力で送られ得る。いくつかの態様では、第２の能力セットは、第１の能力セットよりも新しく、より高度であり得る。たとえば、第１の能力セットは「レガシー」フォーマットに対応し得るのに対して、第２の能力セットは「高効率」フォーマットに対応し得る。いくつかの態様では、第２の能力セットを有するデバイスは、送信内のインジケーションを探索するように構成され得、インジケーションが見出された場合、帯域幅の第２の部分内に含まれた送信の部分を位置特定および受信するように構成され得る。いくつかの態様では、帯域幅の第２の部分内の送信は、上で説明した様々なタイプの高効率パケットに対応し得る。
【０１４０】
[00176]いくつかの態様では、このインジケーションは、プリアンブル内の１ビットコードとして含まれ得る。いくつかの態様では、プリアンブルは、送信の帯域幅にわたって、重複して送信され得る。いくつかの態様では、このインジケーションは、このプリアンブルのある部分内に含まれ得る。たとえば、このインジケーションは、第２の能力セットを有するデバイスに対する送信を含むことになる、帯域幅の一部内で送信されるプリアンブルの複製内に含まれ得る。いくつかの態様では、１つまたは複数の第１のデバイスに送信するための手段および１つまたは複数の第２のデバイスに同時に送信するための手段は、送信機を含み得る。
【０１４１】
[00177]図３３は、第１の能力セットを有するデバイスと第２の能力セットを有するデバイスの両方と互換性がある送信を受信する例示的な方法３３００を示す。該方法は、第２の能力セットを有する、ＳＴＡなどのワイヤレスデバイスによって行われ得る。
【０１４２】
[00178]ブロック３３０５で、ＳＴＡは帯域幅の第１の部分内でプリアンブルを受信する、プリアンブルは第１の能力セットを有するデバイスと互換性があるフォーマットで送信される。いくつかの態様では、帯域幅の第１の部分はプライマリチャネルを含み得、オプションで、１つまたは複数の二次チャネルを含み得る。いくつかの態様では、第１の能力セットは、ＩＥＥＥ８０２．１１ａまたは８０２．１１ａｃなど、ＩＥＥＥ８０２．１１規格を含み得る。いくつかの態様では、プリアンブルを受信するための手段は受信機を含み得る。
【０１４３】
[00179]ブロック３３１０で、ＳＴＡは、帯域幅の第２の部分内の信号フィールドを位置特定することを第２の能力セットを有するデバイスに知らせるために十分な情報をプリアンブルが含むかどうかを決定し、ここで、帯域幅の第２の部分は帯域幅の第１の部分とオーバーラップしない。たとえば、上述の通り、プリアンブルは、プリアンブルの少なくとも一部の中の虚軸上の１ビットコードなどのインジケーションを含み得る。したがって、ＳＴＡは、この情報が所与のプリアンブル内に存在するか否かを決定するように構成され得る。いくつかの態様では、帯域幅の第２の部分は１つまたは複数の二次チャネルを含み得る。いくつかの実施形態では、プリアンブルが情報を含むかどうかを決定するための手段はプロセッサまたは受信機を含み得る。
【０１４４】
[00180]ブロック３３１５において、ＳＴＡは、帯域幅の第２の部分内で信号フィールドを受信する。たとえば、このインジケーションは、帯域幅の第２の部分を位置特定して、信号フィールドが帯域幅の第２の部分内で送信されることになることを認識するために十分な情報をＳＴＡに提供し得る。したがって、ＳＴＡは、帯域幅のこの部分内で信号フィールドを受信するように構成され得る。いくつかの態様では、信号フィールドは、帯域幅の第２の部分内で第２の能力セットを有するデバイスに送信される「高効率」プリアンブルなど、プリアンブルのうちのすべてのまたは一部であり得る。いくつかの態様では、これは、第２の能力セットを有するデバイスが、帯域幅の第１の部分上で第１の能力セットを有するデバイスの受信に割り込まずに、帯域幅の一部上でＡＰまたは別のデバイスから情報を受信することを可能にし得る。したがって、上で論じたように、これは、帯域幅のより完全な使用をより多くの回数可能にし得るため、これはＡＰまたは別のデバイスに利用可能である帯域幅のより効率的な使用を可能にし得る。いくつかの態様では、信号フィールドを受信するための手段は受信機を含み得る。
【０１４５】
[00181]図３４は、送信の一部が異なるワイヤレスデバイスによって送信される、送信を受信する例示的な方法３３００を示す。該方法は、ＡＰなどのワイヤレスデバイスによって行われ得る。
【０１４６】
[00182]ブロック３４０５で、ＡＰは、帯域幅の第１のセクション内で送信の第１の部分を受信し、第１の部分は、第１のワイヤレスデバイスによって送信され、第１のプリアンブルと第１のデータセクションとを含む。いくつかの態様では、ＡＰは、第１のワイヤレスデバイスがＡＰに送信することができる時間および帯域幅について第１のワイヤレスデバイスに知らせるメッセージを以前に第１のワイヤレスデバイスに送った可能性がある。
【０１４７】
[00183]ブロック３４１０で、ＡＰは、帯域幅の第２のセクション内で送信の第２の部分を同時に受信し、帯域幅の第２のセクションは帯域幅の第１のセクションとオーバーラップせず、第２の部分は第２のワイヤレスデバイスによって送信され、第２の部分は第２のプリアンブルと第２のデータセクションとを含む。いくつかの態様では、第１のプリアンブルおよび第２のプリアンブルは、各々、トレーニングフィールドを含み得る。いくつかの態様では、各プリアンブルが含むトレーニングフィールドの数は、特定のデバイスに割り当てられた空間ストリームの数に基づくことができる。たとえば、３つの空間ストリームが割り当てられたデバイスは、１つのショートトレーニングフィールドを送信して、３つのロングトレーニングフィールドを送信することができる。同様に、１つの空間ストリームが割り当てられたデバイスは、１つのショートトレーニングフィールドと１つのロングトレーニングフィールドとを送信することができる。いくつかの態様では、各デバイスは、その特定のデバイスにいくつの空間ストリームが割り当てられたかに基づいて、いくつかのトレーニングフィールドを送信することができる。いくつかの態様では、各デバイスが同じ数の空間ストリームを送信することが有利であり得る。たとえば、各デバイスが同じ数の空間ストリームを送信する場合、これは、結合された送信のピーク対平均電力比を低減することができ、これは有利であり得る。いくつかの態様では、第１のワイヤレスデバイスおよび第２のワイヤレスデバイスからの送信はＡＰからのメッセージによってトリガされ得る。このメッセージは、そのデバイスがいくつの空間ストリームの上で送信することができるかを各デバイスに示すこともでき、各デバイスが送信すべきトレーニングフィールドの数を示すことができる。
【０１４８】
[00184]図３５は、ワイヤレス通信システム１００内で採用され得るワイヤレスデバイス３５０２内で利用され得る様々な構成要素を示す。ワイヤレスデバイス３５０２は、本明細書で説明する様々な方法を実装するように構成され得るデバイスの一例である。たとえば、ワイヤレスデバイス３５０２は、図１０のＡＰ１０４、またはＳＴＡ１０６のうちの１つを備え得る。いくつかの態様では、ワイヤレスデバイス３５０２は、上で説明したパケットを受信するように構成されたワイヤレスデバイスを備え得る。
【０１４９】
[00185]ワイヤレスデバイス３５０２は、ワイヤレスデバイス３５０２の動作を制御するプロセッサ３５０４を含み得る。プロセッサ３５０４は、中央処理装置（ＣＰＵ）と呼ばれる場合もある。読取り専用メモリ（ＲＯＭ）とランダムアクセスメモリ（ＲＡＭ）の両方を含む場合があるメモリ３５０６は、プロセッサ３５０４に命令とデータとを供給する。メモリ３５０６の一部分は、不揮発性ランダムアクセスメモリ（ＮＶＲＡＭ）も含み得る。プロセッサ３５０４は、通常は、メモリ３５０６内に記憶されたプログラム命令に基づいて、論理動作および演算動作を実行する。メモリ３５０６内の命令は、本明細書で説明する方法を実装するように実行可能であり得る。たとえば、メモリ３５０６は、ワイヤレスデバイス３５０２が高効率デバイスからの送信を受信することを可能にするために十分な命令を含み得る。たとえば、メモリ３５０６は、ワイヤレスデバイス３５０２が、第１の能力セットを有するデバイスに関するプリアンブルと、第２の能力セットを有するデバイスに関する第２のプリアンブルとを含むパケットを受信することを可能にするために十分な命令を含み得る。いくつかの態様では、ワイヤレスデバイス３５０２は、ワイヤレスデバイス３５０２が方法３３００および／または方法３４００で説明したようにパケットを受信することを可能にするために十分な命令を含み得るフレーム受信回路３５２１を含み得る。このフレーム受信回路３５２１は、デバイスが、方法３３００で説明したように、帯域幅の第１の部分内でプリアンブルを受信して、インジケーションが存在するかどうかを決定して、帯域幅の第２の部分内で信号フィールドを受信することを可能にするために十分な命令を含み得る。いくつかの態様では、フレーム受信回路３５２１は、デバイスが、方法３４００で説明したように、帯域幅の第１のセクション内で送信の第１の部分を受信して、帯域幅の第２のセクション内で送信の第２の部分を同時に受信することを可能にするために十分な命令を含み得る。
【０１５０】
[00186]プロセッサ３５０４は、１つまたは複数のプロセッサとともに実装される処理システムの構成要素を備える、またはその構成要素であり得る。この１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、ステートマシン、ゲート型論理、ディスクリートハードウェア構成要素、専用ハードウェア有限ステートマシン、または情報の計算または他の操作を実行することができる任意の他の適当なエンティティの任意の組合せで実装され得る。
【０１５１】
[00187]処理システムは、ソフトウェアを記憶するための機械可読媒体も含み得る。ソフトウェアは、ソフトウェア、ファームウェア、ミドルウェア、マイクロコード、ハードウェア記述言語、または他の用語のいずれと呼称されるかにかかわらず、任意のタイプの命令を意味するものとして広範に解釈されるものとする。命令は、コード（たとえばソースコードフォーマット、バイナリコードフォーマット、実行可能コードフォーマット、または任意の他の適当なコードフォーマットのもの）を含み得る。命令は、１つまたは複数のプロセッサによって実行されたときに、処理システムに、本明細書で説明する様々な機能を実行させる。
【０１５２】
[00188]ワイヤレスデバイス３５０２は、ワイヤレスデバイス３５０２と遠隔位置との間のデータの送受信を可能にする送信機３５１０と受信機３５１２とを含み得るハウジング３５０８も含み得る。送信機３５１０および受信機３５１２は、トランシーバ３５１４に結合され得る。アンテナ３５１６は、ハウジング３５０８に取り付けられ、トランシーバ３５１４に電気的に結合され得る。ワイヤレスデバイス３５０２は、複数の送信機、複数の受信機、複数のトランシーバ、および／または複数のアンテナも含み得る（図示せず）。
【０１５３】
[00189]ワイヤレスデバイス３５０２は、トランシーバ３５１４によって受信された信号のレベルを検出し、定量化するために使用され得る、信号検出器３５１８を含み得る。信号検出器３５１８は、総エネルギー、シンボルごとのサブキャリア当たりのエネルギー、電力スペクトル密度、および他の信号などの信号を検出することができる。ワイヤレスデバイス３５０２は、信号を処理する際に使用するデジタル信号プロセッサ（ＤＳＰ）３５２０も含み得る。ＤＳＰ３５２０は、送信用のデータユニットを生成するように構成され得る。いくつかの態様では、データユニットは、物理レイヤデータユニット（ＰＰＤＵ）を備え得る。いくつかの態様では、ＰＰＤＵはパケットと呼ばれる。
【０１５４】
[00190]一部の態様では、ワイヤレスデバイス３５０２はさらに、ユーザインターフェース３５２２を備え得る。ユーザインターフェース３５２２は、キーパッド、マイクロホン、スピーカ、および／またはディスプレイを含み得る。ユーザインターフェース３５２２は、ワイヤレスデバイス３５０２のユーザに情報を伝えるおよび／またはユーザからの入力を受信する、任意の要素または構成要素を含み得る。
【０１５５】
[00191]ワイヤレスデバイス３５０２の様々な構成要素は、バスシステム３５２６によってともに結合され得る。バスシステム３５２６は、たとえば、データバス、ならびに、データバスに加えて、電力バスと、制御信号バスと、ステータス信号バスとを含み得る。ワイヤレスデバイス３５０２の構成要素は、何らかの他の機構を使用して、一緒に結合され得るか、または互いに対する入力を受け入れ、もしくは提供し得ることを当業者は諒解されよう。
【０１５６】
[00192]図３５にはいくつかの別個の構成要素が示されているが、これらの構成要素のうちの１つまたは複数は、結合され得る、または共通に実装され得る。たとえば、プロセッサ３５０４は、プロセッサ３５０４に関して上述した機能を実施するためだけでなく、信号検出器３５１８および／またはＤＳＰ３５２０に関連して上述した機能を実施するためにも、使用され得る。さらに、図３５に示される構成要素の各々は、複数の別個の要素を用いて実装され得る。さらに、プロセッサ３５０４は、以下で説明する構成要素、モジュール、回路などのいずれかを実装するために使用され得、または各々が複数の別個の要素を使用して実装され得る。本明細書で使用される、「決定する」という用語は、多種多様なアクションを包含する。たとえば、「決定すること」は、計算すること、算出すること、処理すること、導出すること、調査すること、探索すること（たとえば、テーブル、データベース、または別のデータ構造の中で探索すること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。さらに、本明細書で使用される「チャネル幅」は、特定の態様では帯域幅を包含し得、または帯域幅とも呼ばれ得る。
【０１５７】
[00193]本明細書で使用される、品目のリスト「のうちの少なくとも１つ」に言及する文句は、１つ１つのメンバーも含めて、それらの品目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするものと意図されている。
【０１５８】
[00194]上記に説明した方法の様々な動作は、様々なハードウェアおよび／もしくはソフトウェア構成要素、回路、ならびに／またはモジュールなど、それらの動作を実行することができる任意の適当な手段によって実行され得る。一般に、図面に示される任意の動作は、それらの動作を実行することができる対応する機能手段によって実行され得る。
【０１５９】
[00195]本開示に関連して説明した様々な例示的な論理ブロック、モジュール、および回路は、本明細書で説明した機能を実行するように設計された、汎用プロセッサ、デジタル信号プロセッサ（ＤＳＰ）、特定用途向け集積回路（ＡＳＩＣ）、フィールドプログラマブルゲートアレイ信号（ＦＰＧＡ）もしくは他のプログラマブル論理デバイス（ＰＬＤ）、ディスクリートゲートもしくはトランジスタ論理、ディスクリートハードウェア構成要素、またはそれらの任意の組合せによって実装または実行され得る。汎用プロセッサはマイクロプロセッサであり得るが、代替として、プロセッサは、任意の市販のプロセッサ、コントローラ、マイクロコントローラ、またはステートマシンであり得る。また、プロセッサは、コンピューティングデバイスの組合せ、たとえば、ＤＳＰおよびマイクロプロセッサの組合せ、複数のマイクロプロセッサ、ＤＳＰコアと連携する１つもしくは複数のマイクロプロセッサ、または任意の他のそのような構成として実装され得る。
【０１６０】
[00196]１つまたは複数の態様では、説明した機能は、ハードウェア、ソフトウェア、ファームウェア、またはそれらの任意の組合せで実装され得る。ソフトウェアで実装される場合には、それらの機能は、１つもしくは複数の命令またはコードとして、コンピュータ可読媒体上に記憶され、またはコンピュータ可読媒体を介して送信され得る。コンピュータ可読媒体は、１つの場所から別の場所へのコンピュータプログラムの伝達を容易にする任意の媒体を含む、コンピュータ記憶媒体と通信媒体の両方を含む。記憶媒体は、コンピュータによってアクセスされ得る任意の入手可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または、命令またはデータ構造の形態の所望のプログラムコードを搬送または記憶するために使用されコンピュータによってアクセスされ得る、任意の他の媒体を備え得る。また、任意の接続も適切にコンピュータ可読媒体と称される。たとえば、ソフトウェアが、同軸ケーブル、光ファイバケーブル、より対線、デジタル加入者線（ＤＳＬ）、または赤外線、無線、マイクロ波などのワイヤレス技術を使用して、ウェブサイト、サーバ、または他のリモートソースから送信される場合、同軸ケーブル、光ファイバケーブル、より対線、ＤＳＬ、または赤外線、無線、マイクロ波などのワイヤレス技術が、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、一方、ディスク（disc）は、データをレーザーで光学的に再生する。したがって、いくつかの態様では、コンピュータ可読媒体は、非一時的コンピュータ可読媒体（たとえば有形媒体）を含み得る。さらに、いくつかの態様では、コンピュータ可読媒体は、一時的コンピュータ可読媒体（たとえば信号）を含み得る。上記のものの組合せもまた、コンピュータ可読媒体の範囲内に含まれるべきである。
【０１６１】
[00197]本明細書で開示した方法は、説明した方法を達成するための１つまたは複数のステップまたはアクションを備える。方法のステップおよび／またはアクションは、特許請求の範囲を逸脱することなく、互いに入れ替えられ得る。言い換えれば、特定のステップまたはアクションの順序が指定されない限り、特定のステップおよび／またはアクションの順序および／または使用は、特許請求の範囲を逸脱することなく、修正され得る。
【０１６２】
[00198]説明した機能は、ハードウェア、ソフトウェア、ファームウェア、またはそれらの任意の組合せで実装され得る。ソフトウェアで実施される場合には、それらの機能は、１つまたは複数の命令として、コンピュータ可読媒体上に記憶され得る。記憶媒体は、コンピュータによってアクセスされ得る任意の入手可能な媒体であり得る。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または、命令またはデータ構造の形態の所望のプログラムコードを搬送または記憶するために使用されコンピュータによってアクセスされ得る、任意の他の媒体を備え得る。本明細書で使用するディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）、およびＢｌｕ−ｒａｙ（登録商標）ディスク（disc）を含み、ディスク（disk）は、通常、磁気的にデータを再生し、一方、ディスク（disc）は、データをレーザーで光学的に再生する。
【０１６３】
[00199]したがって、特定の態様は、本明細書に提示された動作を実行するためのコンピュータプログラム製品を備え得る。たとえば、そのようなコンピュータプログラム製品は、命令が記憶（および／または符号化）され、それらの命令が本明細書で説明した動作を実行するために１つまたは複数のプロセッサによって実行可能である、コンピュータ可読媒体を備え得る。特定の態様では、コンピュータプログラム製品は、パッケージング材料を含み得る。
【０１６４】
[00200]ソフトウェアまたは命令は、送信媒体上でも送信され得る。たとえば、ウェブサイト、サーバ、または他の遠隔ソースから、同軸ケーブル、光ファイバケーブル、より対線、デジタル加入者回線（ＤＳＬ）、または赤外線、無線、およびマイクロ波などのワイヤレス技術を用いてソフトウェアが送信される場合には、それらの同軸ケーブル、光ファイバケーブル、より対線、ＤＳＬ、または赤外線、無線、およびマイクロ波などのワイヤレス技術が、送信媒体の定義に含まれる。
【０１６５】
[00201]さらに、本明細書で説明した方法および技法を実行するためのモジュールおよび／または他の適当な手段は、適用可能であれば、ユーザ端末および／または基地局によってダウンロードおよび／または他の方法で取得され得ることを理解されたい。たとえば、そのようなデバイスは、本明細書で説明した方法を実行するための手段の伝達を容易にするためにサーバに結合され得る。別法として、本明細書で説明した様々な方法は、記憶手段（たとえばＲＡＭ、ＲＯＭ、コンパクトディスク（ＣＤ）またはフロッピーディスクなどの物理記憶媒体など）を介して提供され得、その記憶手段をデバイスに結合または提供したときに、ユーザ端末および／または基地局が、それらの様々な方法を取得することができるようにされ得る。さらに、本明細書で説明した方法および技法をデバイスに提供する任意の他の適当な技法が利用され得る。
【０１６６】
[00202]特許請求の範囲は、上記に示した詳細な構成および構成要素に限定されないことを理解されたい。特許請求の範囲を逸脱することなく、上記で説明した配列と、動作と、方法および装置の詳細とに対して、様々な修正、変更および変形が行われ得る。
【０１６７】
[00203]上記の説明は、本開示の態様を対象としたものであるが、本開示の基本的な範囲を逸脱することなく、本開示の他の態様およびさらなる態様も考案され得、本開示の範囲は、以下の特許請求の範囲によって決定される。
【誤訳訂正２】
【訂正対象書類名】特許請求の範囲
【訂正対象項目名】全文
【訂正方法】変更
【訂正の内容】
【特許請求の範囲】
【請求項１】
２つ以上のワイヤレス通信デバイスに送信する方法であって、
第１のフォーマットに従ってプリアンブルの第１のセクションを送信することと、ここで、前記プリアンブルの前記第１のセクションは、前記送信に譲歩するように、前記第１のフォーマットと互換性があるデバイスに知らせる情報を含む、
第２のフォーマットに従って前記プリアンブルの第２のセクションを送信することと、ここで、前記プリアンブルの前記第２のセクションはトーン割振り情報を含み、前記トーン割振り情報は２つ以上のワイヤレス通信デバイスを識別する、
データを前記２つ以上のワイヤレス通信デバイスに同時に送信することと、ここで、前記データは２以上のサブバンド上に含まれる
を備える方法。
【請求項２】
前記プリアンブルの前記第１のセクションは、前記プリアンブルの前記第２のセクションの存在を示す、Ｑレール上の１ビットのコードを含む、請求項１に記載の方法。
【請求項３】
前記プリアンブルの前記第２のセクションは、前記第２のフォーマットを使用する信号フィールドを備え、前記信号フィールドは、少なくとも３つの直交周波数分割多重化シンボルから構成され、前記３つのシンボルのうちの第３のシンボルは、前記プリアンブルの前記第２のセクションの存在を示す回転された信号である、請求項１に記載の方法。
【請求項４】
前記プリアンブルの前記第２のセクションを前記送信することは、前記第２のフォーマットに従って１つまたは複数のトレーニングフィールドを前記２つ以上のワイヤレス通信デバイスの各々に送信することを備え、前記１つまたは複数のトレーニングフィールドは各々、精確な周波数オフセット推定、時間同期、およびチャネル推定のために使用されるように構成される、請求項１に記載の方法。
【請求項５】
１つまたは複数の空間ストリームを前記２つ以上のワイヤレス通信デバイスの各々に割り当てることをさらに備え、ここにおいて、１つまたは複数のトレーニングフィールドを送信することは、前記第２のフォーマットに従って１つのトレーニングフィールドを前記２つ以上のワイヤレス通信デバイスの各々に送信することを備え、トレーニングフィールドの数は、前記それぞれのワイヤレス通信デバイスに割り当てられた空間ストリームの数に基づく、請求項４に記載の方法。
【請求項６】
１つまたは複数の空間ストリームを前記２つ以上のワイヤレス通信デバイスの各々に割り当てることをさらに備え、ここにおいて、１つまたは複数のトレーニングフィールドを送信することは、いくつかのトレーニングフィールドを前記２つ以上のワイヤレス通信デバイスの各々に送信することを備え、トレーニングフィールドの数は、最大数の空間ストリームが割り当てられた前記ワイヤレス通信デバイスに割り当てられた空間ストリームの数に基づく、請求項４に記載の方法。
【請求項７】
前記プリアンブルの前記第２のセクションは、前記送信のトーン割振り粒度をデバイスに知らせるために十分な情報を含む、請求項１に記載の方法。
【請求項８】
前記送信のトーン割振り粒度をデバイスに知らせるために十分な前記情報は、前記第２のフォーマットと互換性があるデバイスが前記送信の前記トーン割振り粒度をそこから決定することができる、前記送信の帯域幅を備える、請求項７に記載の方法。
【請求項９】
前記送信のトーン割振り粒度をデバイスに知らせるために十分な前記情報は、前記送信の前記トーン割振り粒度を示す、信号フィールド内の少なくとも１ビットのコードを備える、請求項７に記載の方法。
【請求項１０】
前記トーン割振り粒度は、いくつかのサブバンドの各々の帯域幅サイズのインジケーションを備える、請求項７に記載の方法。
【請求項１１】
前記プリアンブルの前記第２のセクションは、前記識別された２つ以上のワイヤレス通信デバイスの各々に割り当てられた、いくつかのサブバンドのインジケーションをさらに含む、請求項１０に記載の方法。
【請求項１２】
前記プリアンブルの前記第２のセクションは、前記第２のフォーマットによる信号フィールドを備え、ここにおいて、前記信号フィールドの第１のシンボルは、複数のチャネルの各々において重複して送信され、全帯域幅を識別する情報を含み、前記信号フィールドの後続のシンボルは、前記全帯域幅を使用して送信される、請求項１に記載の方法。
【請求項１３】
帯域幅を介して送信するように構成された送信機を含む、ワイヤレス通信のための装置であって、送信することが、
第１のフォーマットに従ってプリアンブルの第１のセクションを送信することと、ここで、前記プリアンブルの前記第１のセクションは、前記送信に譲歩するように、前記第１のフォーマットと互換性があるデバイスに知らせる情報を含む、
第２のフォーマットに従って前記プリアンブルの第２のセクションを送信することと、ここで、前記プリアンブルの前記第２のセクションはトーン割振り情報を含み、前記トーン割振り情報は２つ以上のワイヤレス通信デバイスを識別する、
データを前記２つ以上のワイヤレス通信デバイスに同時に送信することと、ここで、前記データは２以上のサブバンド上に含まれる
を備える、装置。
【請求項１４】
前記プリアンブルの前記第１のセクションは、前記第２のフォーマットと互換性があるデバイスに前記プリアンブルの前記第２のセクションの存在を示す、Ｑレール上の１ビットコードを含む、請求項１３に記載の装置。
【請求項１５】
前記プリアンブルの前記第２のセクションは、前記第２のフォーマットを使用する信号フィールドを備え、前記信号フィールドは、少なくとも３つの直交周波数分割多重化シンボルを備え、ここにおいて、前記３つのシンボルのうちの第３のシンボルは、前記第２のフォーマット信号フィールドの存在を示す回転された信号である、請求項１３に記載の装置。
【請求項１６】
前記送信機は、前記第２のフォーマットに従って１つまたは複数のトレーニングフィールドを前記２つ以上のワイヤレス通信デバイスの各々に送信することを含む、前記プリアンブルの前記第２のセクションを送信するように構成され、ここで、前記１つまたは複数のトレーニングフィールドは、各々、精確な周波数オフセット推定、時間同期、およびチャネル推定のために使用されるように構成される、請求項１３に記載の装置。
【請求項１７】
前記送信機は、１つまたは複数の空間ストリーム上で前記２つ以上のワイヤレス通信デバイスの各々に送信するようにさらに構成され、ここにおいて、前記第２のフォーマットに従って１つまたは複数のトレーニングフィールドを送信することは、前記第２のフォーマットに従ってトレーニングフィールドを前記２つ以上のワイヤレス通信デバイスの各々に送信することを備え、トレーニングフィールドの数は、前記それぞれのワイヤレス通信デバイスに割り当てられた空間ストリームの数に基づく、請求項１６に記載の装置。
【請求項１８】
前記送信機は、１つまたは複数の空間ストリーム上で前記２つ以上のワイヤレス通信デバイスの各々に送信するようにさらに構成され、ここにおいて、前記第２のフォーマットに従って１つまたは複数のトレーニングフィールドを送信することは、いくつかのトレーニングフィールドを前記２つ以上のワイヤレス通信デバイスの各々に送信することを備え、トレーニングフィールドの数は、最高数の空間ストリームが割り当てられた前記ワイヤレス通信デバイスに割り当てられた空間ストリームの数に基づく、請求項１６に記載の装置。
【請求項１９】
前記プリアンブルの前記第２のセクションは、前記送信のトーン割振り粒度をデバイスに知らせるために十分な情報を含む、請求項１６に記載の装置。
【請求項２０】
前記プリアンブルの前記第２のセクションは第２のフォーマット信号フィールドを備え、ここにおいて、前記第２のフォーマット信号フィールドの第１のシンボルは、複数のチャネルの各々において重複して送信され、全帯域幅を識別する情報を含み、ここにおいて、前記第２のフォーマット信号フィールドの後続のシンボルは前記全帯域幅を使用して送信される、請求項１３に記載の装置。
【誤訳訂正３】
【訂正対象書類名】図面
【訂正対象項目名】全図
【訂正方法】変更
【訂正の内容】
【図１】
2016519909.tif 000002
【図２】
2016519909.tif 000003
【図３】
2016519909.tif 000004
【図４】
2016519909.tif 000005
【図５】
2016519909.tif 000006
【図６】
2016519909.tif 000007
【図７】
2016519909.tif 000008
【図８】
2016519909.tif 000009
【図９】
2016519909.tif 000010
【図１０】
2016519909.tif 000011
【図１１】
2016519909.tif 000012
【図１２】
2016519909.tif 000013
【図１３】
2016519909.tif 000014
【図１４】
2016519909.tif 000015
【図１５】
2016519909.tif 000016
【図１６】
2016519909.tif 000017
【図１７】
2016519909.tif 000018
【図１８】
2016519909.tif 000019
【図１９】
2016519909.tif 000020
【図２０】
2016519909.tif 000021
【図２１】
2016519909.tif 000022
【図２２】
2016519909.tif 000023
【図２３】
2016519909.tif 000024
【図２４】
2016519909.tif 000025
【図２５】
2016519909.tif 000026
【図２６】
2016519909.tif 000027
【図２７】
2016519909.tif 000028
【図２８】
2016519909.tif 000029
【図２９】
2016519909.tif 000030
【図３０】
2016519909.tif 000031
【図３１】
2016519909.tif 000032
【図３２】
2016519909.tif 000033
【図３３】
2016519909.tif 000034
【図３４】
2016519909.tif 000035
【図３５】
2016519909.tif 000036